(57)【要約】  本発明は、通信技術の分野に関し、特に、ナンバー・ポータビリティ・サービスに基づくオンライン課金方法、装置、およびシステムに関する。本発明の１実施形態では、ナンバー・ポータビリティ・サービスに基づくオンライン課金方法を提供する。ＩＭＳネットワーク内の発信側ＵＥが着信側ＵＥへの呼を開始するとき、ＩＭＳネットワーク内のＣＳＣＦエンティティにより送信された招待メッセージを受信した後、ＩＭＳネットワーク内のＡＳは、ＮＰＤＢサーバ内の着信側ＵＥの番号に対応するナンバー・ポータビリティ情報を問い合わせ、発信側ＵＥの番号と発見されたナンバー・ポータビリティ情報を初期ＣＣＲメッセージによりＩＭＳネットワーク内のＯＣＳに送信する。その結果、ＯＣＳは、ナンバー・ポータビリティ情報と発信側ＵＥの番号に従って、発信側ＵＥに対する課金認証を実施することができる。本発明の実施形態で提供する方法によれば、着信側ＵＥが加入ネットワークを変更してＮＰサービスに加入するとき、ＯＣＳが、発信側ＵＥに対して課金認証を正しく実施することができる。
2016502360.tif 000002
【特許請求の範囲】
【請求項１】
ナンバー・ポータビリティ・サービスに基づくオンライン課金方法であって、
インターネット・プロトコル・マルチメディア・サブシステムＩＭＳネットワーク内の発信側ユーザ機器ＵＥが着信側ＵＥへの呼を開始したとき、前記ＩＭＳネットワーク内のアプリケーション・サーバＡＳにより、前記ＩＭＳネットワーク内の呼セッション制御機能ＣＳＣＦエンティティにより送信された招待メッセージを受信するステップであって、前記招待メッセージは前記発信側ＵＥの番号と前記着信側ＵＥの番号を運搬するステップと、
前記ＡＳにより、ナンバー・ポータビリティ情報問合せ要求をナンバー・ポータビリティ・データベースＮＰＤＢサーバに送信するステップであって、前記ナンバー・ポータビリティ情報問合せ要求は前記着信側ＵＥの番号を運搬するステップと、
前記ＡＳにより、前記ＮＰＤＢサーバにより送信されたナンバー・ポータビリティ情報問合せ応答を受信するステップであって、前記ナンバー・ポータビリティ情報問合せ応答は前記着信側ＵＥの番号に対応するナンバー・ポータビリティ情報を運搬するステップと、
前記ＡＳにより、初期クレジット制御要求メッセージを前記ＩＭＳネットワーク内のオンライン課金システムＯＣＳに送信するステップであって、前記初期クレジット制御要求メッセージは前記ナンバー・ポータビリティ情報と前記発信側ＵＥの番号を運搬し、その結果、前記ＯＣＳが前記ナンバー・ポータビリティ情報と前記発信側ＵＥの番号に従って前記発信側ＵＥに対する課金認証を実施するステップと、
を含む、方法。
【請求項２】
前記ナンバー・ポータビリティ情報はルーティング番号を含み、前記ＯＣＳにより、前記ナンバー・ポータビリティ情報と前記発信側ＵＥの番号に従って前記発信側ＵＥに対して課金認証を実施するステップは、
前記ＯＣＳにより、前記着信側ＵＥが属する受信側ネットワークを前記ルーティング番号に従って決定し、前記ＩＭＳネットワークと前記受信側ネットワークの間の通話の課金率を決定するステップと、
前記ＯＣＳにより、前記発信側ＵＥの番号と前記課金率に従って前記発信側ＵＥに対する課金認証を実施するステップと、
を含む、請求項１に記載の方法。
【請求項３】
前記着信側ＵＥが属する受信側ネットワークと前記ＩＭＳネットワークとは同一の通信ネットワークでない、請求項２に記載の方法。
【請求項４】
前記ナンバー・ポータビリティ情報はポートイン・アイデンティティを含み、前記ポートイン・アイデンティティは、前記着信側ＵＥが別の通信ネットワークから前記ＩＭＳネットワークにポートインされていると示すために使用され、前記ＯＣＳにより、前記ナンバー・ポータビリティ情報と前記発信側ＵＥの番号に従って前記発信側ＵＥに対して課金認証を実施するステップは、
前記ポートイン・アイデンティティと前記発信側ＵＥの番号に従って、前記ＯＣＳにより、前記ＩＭＳネットワークにおけるネットワーク内通話の課金率に基づいて前記発信側ＵＥに対する課金認証を実施するステップ
を含む、請求項１に記載の方法。
【請求項５】
前記招待メッセージはさらに前記発信側ＵＥによりサポートされるコーデックに関する情報を運搬し、前記ＡＳにより、前記ＮＰＤＢサーバにより送信された前記ナンバー・ポータビリティ情報問合せ応答を受信した後、前記方法は、
前記ＡＳにより、コーデック交渉要求メッセージを前記ＩＭＳネットワーク内のマルチメディアリソース機能ＭＲＦエンティティに送信するステップであって、前記ＭＲＦエンティティが、前記ＭＲＦエンティティによりサポートされるコーデックに関する情報と前記発信側ＵＥによりサポートされる前記コーデックに関する情報に従って、前記ＭＲＦエンティティと前記発信側ＵＥの両方によりサポートされるコーデックを決定するように、前記コーデック交渉要求メッセージは前記発信側ＵＥによりサポートされる前記コーデックに関する情報を運搬する、ステップと、
前記ＡＳにより、前記ＭＲＦエンティティにより送信されたコーデック交渉応答メッセージを受信するステップであって、前記コーデック交渉応答メッセージは前記ＭＲＦエンティティにより決定されたコーデックに関する情報を運搬する、ステップと、
前記発信側ＵＥが、前記コーデックに関する受信した情報に従って、前記ＭＲＦエンティティにより送信されたオーディオ・ファイルを復号化し、前記復号化したオーディオ・ファイルを再生するように、前記ＡＳにより、前記ＭＲＦエンティティにより決定されたコーデックに関する情報を前記発信側ＵＥに送信するステップであって、前記ＭＲＦエンティティにより送信された前記オーディオ・ファイルは、前記着信側ＵＥが加入ネットワークを変更したことを示す音声通知情報を含む、ステップと、
をさらに含む、請求項１乃至４の何れか１項に記載の方法。
【請求項６】
前記課金認証に成功した後、
前記ＡＳにより、前記ＯＣＳにより送信された初期クレジット制御応答メッセージを受信するステップであって、前記初期クレジット制御応答メッセージは付与サービス単位を運搬するステップと、
前記ＡＳにより、前記付与サービス単位と前記発信側ＵＥの番号の間の対応を格納し、前記ＣＳＣＦエンティティに、前記ナンバー・ポータビリティ情報を運搬する招待メッセージを送信するステップと、
をさらに含む、請求項１乃至５の何れか１項に記載の方法。
【請求項７】
インターネット・プロトコル・マルチメディア・サブシステムＩＭＳネットワーク内のアプリケーション・サーバであって、
前記ＩＭＳネットワーク内の発信側ユーザ機器ＵＥが着信側ＵＥへの呼を開始するときに、前記ＩＭＳネットワーク内の呼セッション制御機能ＣＳＣＦエンティティにより送信された招待メッセージを受信するように構成された受信ユニットであって、前記招待メッセージは前記発信側ＵＥの番号と前記着信側ＵＥの番号を運搬する受信ユニットと、
ナンバー・ポータビリティ情報問合せ要求をナンバー・ポータビリティ・データベースＮＰＤＢサーバに送信するように構成された送信ユニットであって、前記ナンバー・ポータビリティ情報問合せ要求は前記受信ユニットにより受信された前記着信側ＵＥの番号を運搬する送信ユニットと、
を備え、
前記受信ユニットはさらに、前記ＮＰＤＢサーバにより送信されたナンバー・ポータビリティ情報問合せ応答を受信するように構成され、前記ナンバー・ポータビリティ情報問合せ応答は前記着信側ＵＥの番号に対応するナンバー・ポータビリティ情報を運搬し、
前記送信ユニットはさらに、初期クレジット制御要求メッセージを前記ＩＭＳネットワーク内のオンライン課金システムＯＣＳに送信するように構成され、前記ＯＣＳが前記ナンバー・ポータビリティ情報と前記発信側ＵＥの番号に従って前記発信側ＵＥに対する課金認証を実施するように、前記初期クレジット制御要求メッセージは、前記受信ユニットにより受信された前記ナンバー・ポータビリティ情報と前記受信ユニットにより受信された前記発信側ＵＥの番号を運搬する、
アプリケーション・サーバ。
【請求項８】
前記ナンバー・ポータビリティ情報はルーティング番号を含む、請求項７に記載のアプリケーション・サーバ。
【請求項９】
前記ナンバー・ポータビリティ情報はポートイン・アイデンティティを含み、前記ポートイン・アイデンティティは、前記着信側ＵＥが別の通信ネットワークから前記ＩＭＳネットワークにポートインされていると示すために使用される、請求項７に記載のアプリケーション・サーバ。
【請求項１０】
前記受信ユニットにより送信された前記招待メッセージはさらに前記発信側ＵＥによりサポートされるコーデックに関する情報を運搬し
前記送信ユニットはさらに、前記受信ユニットが前記ＮＰＤＢサーバにより送信された前記ナンバー・ポータビリティ情報問合せ応答を受信した後に、前記ＩＭＳネットワーク内のマルチメディアリソース機能ＭＲＦエンティティにコーデック交渉要求メッセージを送信するように構成され、前記ＭＲＦエンティティが、前記ＭＲＦエンティティによりサポートされるコーデックに関する情報と前記発信側ＵＥによりサポートされる前記コーデックに関する情報に従って、前記ＭＲＦエンティティと前記発信側ＵＥの両方によりサポートされるコーデックを決定するように、前記コーデック交渉要求メッセージは前記発信側ＵＥによりサポートされる前記コーデックに関する情報を運搬し、
前記受信ユニットはさらに、前記ＭＲＦエンティティにより送信されたコーデック交渉応答メッセージを受信するように構成され、前記コーデック交渉応答メッセージは前記ＭＲＦエンティティにより決定されたコーデックに関する情報を運搬し、
前記送信ユニットはさらに、前記ＭＲＦエンティティにより決定されたコーデックに関する情報を前記発信側ＵＥに送信するように構成され、前記発信側ＵＥが、前記コーデックに関する受信した情報に従って、前記ＭＲＦエンティティにより送信されたオーディオ・ファイルを復号化し、前記復号化したオーディオ・ファイルを再生するように、前記コーデックに関する情報は前記受信ユニットにより受信され、前記ＭＲＦエンティティにより送信された前記オーディオ・ファイルは、前記着信側ＵＥが加入ネットワークを変更したことを示す音声通知情報を含む、
請求項７乃至９の何れか１項に記載のアプリケーション・サーバ。
【請求項１１】
前記受信ユニットはさらに、前記ＯＣＳにより送信された初期クレジット制御応答メッセージを受信するように構成され、前記初期クレジット制御応答メッセージは付与サービス単位を運搬し、
前記送信ユニットはさらに、前記付与サービス単位と前記発信側ＵＥの番号の間の対応を格納し、前記ナンバー・ポータビリティ情報を運搬する招待メッセージを前記ＣＳＣＦエンティティに送信するように構成された、
請求項７乃至１０の何れか１項に記載のアプリケーション・サーバ。
【請求項１２】
インターネット・プロトコル・マルチメディア・サブシステムＩＭＳネットワーク内のアプリケーション・サーバＡＳと前記ＩＭＳネットワーク内のナンバー・ポータビリティ・データベースＮＰＤＢサーバを備えた、ナンバー・ポータビリティ・サービスに基づく課金システムであって、
前記ＡＳは、前記ＩＭＳネットワーク内の発信側ユーザ機器ＵＥが着信側ＵＥへの呼を開始するとき、前記ＩＭＳネットワーク内の呼セッション制御機能ＣＳＣＦエンティティにより送信された招待メッセージを受信し、ナンバー・ポータビリティ情報問合せ要求を前記ＮＰＤＢサーバに送信するように構成され、前記招待メッセージは前記発信側ＵＥの番号と前記着信側ＵＥの番号を運搬し、前記ナンバー・ポータビリティ情報問合せ要求は前記着信側ＵＥの番号を運搬し、
前記ＮＰＤＢサーバは、前記ＡＳにより送信された前記ナンバー・ポータビリティ情報問合せ要求を受信し、前記着信側ＵＥの番号に対応するナンバー・ポータビリティ情報を問い合わせ、ナンバー・ポータビリティ情報問合せ応答を前記ＡＳに送信するように構成され、前記ナンバー・ポータビリティ情報問合せ応答は前記前記着信側ＵＥの番号に対応するナンバー・ポータビリティ情報を運搬し、
前記ＡＳはさらに、前記ＮＰＤＢサーバにより送信された前記ナンバー・ポータビリティ情報問合せ応答を受信し、初期クレジット制御要求メッセージを前記ＩＭＳネットワーク内のオンライン課金システムＯＣＳに送信するように構成され、前記ＯＣＳが前記ナンバー・ポータビリティ情報と前記発信側ＵＥの番号に従って前記発信側ＵＥに対する課金認証を実施するように、前記初期クレジット制御要求メッセージは前記ナンバー・ポータビリティ情報と前記発信側ＵＥの番号を運搬する、
課金システム。
【請求項１３】
前記ＡＳにより送信された初期クレジット制御要求メッセージを受信し、前記発信側ＵＥに対する課金認証を、前記初期クレジット制御要求メッセージ内の前記ナンバー・ポータビリティ情報と前記発信側ＵＥの番号に従って実施するように構成された前記ＯＣＳ
をさらに備える、請求項１２に記載のシステム。
【請求項１４】
前記ナンバー・ポータビリティ情報はルーティング番号を含み、
前記ＯＣＳは特に、前記着信側ＵＥが属する受信側ネットワークを前記ルーティング番号に従って決定し、前記ＩＭＳネットワークと前記受信側ネットワークの間の通話の課金率を決定し、前記発信側ＵＥに対する課金認証を前記発信側ＵＥの番号と前記課金率に従って実施するように構成された、
請求項１３に記載のシステム。
【請求項１５】
前記ナンバー・ポータビリティ情報はポートイン・アイデンティティを含み、前記ポートイン・アイデンティティは、前記着信側ＵＥが別の通信ネットワークから前記ＩＭＳネットワークにポートインされていると示すために使用され、
前記ＯＣＳは特に、前記ポートイン・アイデンティティと前記発信側ＵＥの番号に従って、前記ＩＭＳネットワークにおけるネットワーク内通話の課金率に基づいて前記発信側ＵＥに対する課金認証を実施するように構成される、
請求項１３に記載のシステム。
【発明の詳細な説明】
【技術分野】
【０００１】
本願は、発明の名称を「ナンバー・ポータビリティ・サービスに基づくオンライン課金方法、装置、およびシステム」とした、２０１２年１２月１９日に中国国家知的産権局に出願された中国特許出願第２０１２１０５５４６２３．４号に対する優先権を主張し、その全体を引用により本明細書に組み込む。
【０００２】
本発明は、通信技術の分野に関し、特に、ナンバー・ポータビリティ・サービスに基づくオンライン課金方法、装置、およびシステムに関する。
【背景技術】
【０００３】
ナンバー・ポータビリティ（Ｎｕｍｂｅｒ  Ｐｏｒｔａｂｉｌｉｔｙ、略してＮＰ）サービスは、ユーザが加入ネットワークを変更した後に、現在加入しているネットワーク内の元の番号をユーザが使用し続けることができるサービスである。ＮＰサービスを用いることで、ユーザは加入ネットワークを非常に好都合に変更をすることができる。現在、公正な競争のために、多くの国や地域の電気通信規制局により、全ての電気通信業者がＮＰサービスを提供して、ユーザが加入ネットワークを変更した後に必要となる番号の変更に起因する不都合さを回避することが求められている。
【０００４】
ユーザが現在加入しているネットワークは受信側ネットワーク（Ｒｅｃｉｐｉｅｎｔ  Ｎｅｔｗｏｒｋ）としても知られ、ユーザが最初に加入するネットワークはドナー・ネットワーク（Ｄｏｎｏｒ  Ｎｅｔｗｏｒｋ）として知られる。例えば、番号がｘｘｘであるＵＥ（Ｕｓｅｒ  Ｅｑｕｉｐｍｅｎｔ、ユーザ機器）に対して、ＵＥが属するドナー・ネットワークがチャイナ・モバイルが展開する通信ネットワークであり、ユーザが、チャイナ・モバイルが展開する通信ネットワークからチャイナ・ユニコムが展開する通信ネットワークにポートイン（ｐｏｒｔ  ｉｎ）すると、ＵＥが属する受信側ネットワークはチャイナ・ユニコムが展開する通信ネットワークである。この場合、ＵＥでの全てのサービスはチャイナ・ユニコムにより展開される通信ネットワークにより提供される。
【０００５】
ＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ、インターネット・プロトコル・マルチメディア・サブシステム）ネットワークアーキテクチャでは、着信側ＵＥが加入ネットワークを変更してＮＰサービスに加入すると、発信側ＵＥが着信側ＵＥに発呼するプロセスにおいて、発呼ネットワーク側は先ず発信側ＵＥに対して課金認証を実施し、次いで課金認証に成功した後、ナンバー・ポータビリティ・データベース（Ｎｕｍｂｅｒ  Ｐｏｒｔａｂｉｌｉｔｙ  Ｄａｔａｂａｓｅ、略してＮＰＤＢ）サーバ内の着信側ＵＥの番号に対応するルーティング番号（Ｒｏｕｔｉｎｇ  Ｎｕｍｂｅｒ、略してＲＮ）を問い合わせ、当該問合せを通じて得たルーティング番号に従って着信側ＵＥが属する受信側ネットワークへの呼をルーティングする必要がある。発呼ネットワーク側とは、発信側ＵＥが属する通信ネットワークを指す。着信側ＵＥが加入ネットワークを変更してＮＰサービスに加入すると、着信側ＵＥは、受信側ネットワーク内のドナー・ネットワークにより割り当てられた番号を使用することができる。
【０００６】
特に、発信側ＵＥが送信した呼要求を受信した後、発呼ネットワーク側のＳ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ、サービング呼セッション制御機能）エンティティが、発呼ネットワーク側のＡＳ（Ａｐｐｌｉｃａｔｉｏｎ  Ｓｅｒｖｅｒ、アプリケーション・サーバ）を通じて初期ＣＣＲ（Ｃｒｅｄｉｔ  Ｃｏｎｔｒｏｌ  Ｒｅｑｕｅｓｔ、クレジット制御要求）メッセージを発呼ネットワーク側のＯＣＳ（Ｏｎｌｉｎｅ  Ｃｈａｒｇｉｎｇ  Ｓｙｓｔｅｍ、オンライン課金システム）に送信する。初期ＣＣＲメッセージは発信側ＵＥの番号と着信側ＵＥの番号を運搬する。ＯＣＳは、着信側ＵＥが属する通信ネットワークを着信側ＵＥの番号に従って決定し、発信側ＵＥが属する通信ネットワークと着信側ＵＥが属する通信ネットワークの間の呼の課金率を決定し、当該課金率に従って発信側ＵＥに対する課金認証を実施して、発信側ＵＥの口座が最小呼期間での呼をサポートするのに十分な残高を有するかどうかを判定する。課金認証に成功した後、ＯＣＳはＧＳＵ（Ｇｒａｎｔｅｄ  Ｓｅｒｖｉｃｅ  Ｕｎｉｔ、付与サービス単位）をＡＳに送信する。ＡＳは、ＮＰＤＢサーバ内の着信側ＵＥの番号に対応するルーティング番号を問い合わせるようにＳ−ＣＳＣＦエンティティに指示する。着信側ＵＥの番号に対応するルーティング番号を発見した後、Ｓ−ＣＳＣＦエンティティは、当該ルーティング番号に従って着信側ＵＥが属する受信側ネットワークへの呼をルーティングする。
【０００７】
先行技術を分析することで、発明者は、先行技術には少なくとも以下の問題があると思料する。
【０００８】
発信側ＵＥが着信側ＵＥへの呼を開始するプロセスでは、ＯＣＳが、着信側ＵＥが属する通信ネットワークを着信側ＵＥの番号に従って決定する。発信側ＵＥが属する通信ネットワークと着信側ＵＥが属する通信ネットワークが同一の運営者により展開される通信ネットワークである場合には、ネットワーク内通話の課金率に従って課金認証が発信側ＵＥに対して実施される。発信側ＵＥが属する通信ネットワークと着信側ＵＥが属する通信ネットワークが同一の運営者により展開される通信ネットワークでない場合には、ネットワーク間の呼の課金率に従って課金認証が発信側ＵＥに対して実施される。加入ネットワークを変更しＮＰサービスに加入した着信側ＵＥにとっては、着信側ＵＥの番号は変わっていないけれども、着信側ＵＥが属する通信ネットワークは変わっている。したがって、ＯＣＳが発信側ＵＥに対して課金認証を実施するとき、誤りが生じる可能性がある。
【発明の概要】
【課題を解決するための手段】
【０００９】
先行技術の欠点を克服するために、本発明の諸実施形態の目的は、ナンバー・ポータビリティ・サービスに基づくオンライン課金方法、装置、およびシステムを提供して、着信側ＵＥが加入ネットワークを変更してＮＰサービスに加入したとき、および、ＩＭＳネットワーク内の発信側ＵＥが着信側ＵＥへの呼を開始したとき、ＩＭＳネットワーク内のＯＣＳが、発信側ＵＥに対して課金認証を正しく実施できるようにすることである。
【００１０】
第１の態様では、本発明の１実施形態は、ナンバー・ポータビリティ・サービスに基づくオンライン課金方法であって、ＩＭＳネットワーク内の発信側ＵＥが着信側ＵＥへの呼を開始するとき、ＩＭＳネットワーク内のＡＳにより、ＩＭＳネットワーク内の呼セッション制御機能（Ｃａｌｌ  Ｓｅｓｓｉｏｎ  Ｃｏｎｔｒｏｌ  Ｆｕｎｃｔｉｏｎ、略してＣＳＣＦ）エンティティが送信した招待メッセージを受信するステップであって、当該招待メッセージは発信側ＵＥの番号と着信側ＵＥの番号を運搬するステップと、ＡＳにより、ナンバー・ポータビリティ情報問合せ要求をＮＰＤＢサーバに送信するステップであって、当該ナンバー・ポータビリティ情報問合せ要求は着信側ＵＥの番号を運搬するステップと、ＡＳにより、ＮＰＤＢサーバにより送信されたナンバー・ポータビリティ情報問合せ応答を受信するステップであって、当該ナンバー・ポータビリティ情報問合せ応答は着信側ＵＥの番号に対応するナンバー・ポータビリティ情報を運搬するステップと、ＡＳにより、初期クレジット制御要求メッセージをＩＭＳネットワーク内のＯＣＳに送信するステップであって、ＯＣＳがナンバー・ポータビリティ情報と発信側ＵＥの番号に従って発信側ＵＥに対する課金認証を実施するように、当該初期クレジット制御要求メッセージはナンバー・ポータビリティ情報と発信側ＵＥの番号を運搬するステップとを含む方法を提供する。
【００１１】
第１の態様の第１の可能な実装方式では、ナンバー・ポータビリティ情報はルーティング番号を含み、ＯＣＳにより、ナンバー・ポータビリティ情報と発信側ＵＥの番号に従って発信側ＵＥに対して課金認証を実施するステップは、ＯＣＳにより、着信側ＵＥが属する受信側ネットワークを当該ルーティング番号に従って決定し、ＩＭＳネットワークと受信側ネットワークの間の通話の課金率を決定するステップと、ＯＣＳにより、発信側ＵＥの番号と当該課金率に従って発信側ＵＥに対する課金認証を実施するステップとを含む。
【００１２】
第１の態様の第１の可能な実装方式を参照して、第１の態様の第２の可能な実装方式では、着信側ＵＥが属する受信側ネットワークとＩＭＳネットワークとは同一の通信ネットワークでない。
【００１３】
第１の態様の第３の可能な実装方式では、ナンバー・ポータビリティ情報はポートイン・アイデンティティを含み、当該ポートイン・アイデンティティは、着信側ＵＥが別の通信ネットワークからＩＭＳネットワークにポートインされていると示すために使用され、ＯＣＳにより、ナンバー・ポータビリティ情報と発信側ＵＥの番号に従って発信側ＵＥに対して課金認証を実施するステップは、当該ポートイン・アイデンティティと発信側ＵＥの番号に従って、ＯＣＳにより、ＩＭＳネットワークにおけるネットワーク内通話の課金率に基づいて発信側ＵＥに対する課金認証を実施するステップを含む。
【００１４】
第１の態様または第１の態様の第１乃至第３の可能な実装方式のうち何れかを参照して、第１の態様の第４の可能な実装方式では、招待メッセージはさらに発信側ＵＥによりサポートされるコーデックに関する情報を運搬し、ＡＳにより、ＮＰＤＢサーバにより送信されたナンバー・ポータビリティ情報問合せ応答を受信した後、当該方法はさらに、ＡＳにより、コーデック交渉要求メッセージをＩＭＳネットワーク内のＭＲＦ（Ｍｕｌｔｉｍｅｄｉａ  Ｒｅｓｏｕｒｃｅ  Ｆｕｎｃｔｉｏｎ、マルチメディアリソース機能）エンティティに送信するステップであって、ＭＲＦエンティティが、ＭＲＦエンティティによりサポートされるコーデックに関する情報と発信側ＵＥによりサポートされるコーデックに関する情報に従って、ＭＲＦエンティティと発信側ＵＥの両方によりサポートされるコーデックを決定するように、当該コーデック交渉要求メッセージは発信側ＵＥによりサポートされるコーデックに関する情報を運搬するステップと、ＡＳにより、ＭＲＦエンティティにより送信されたコーデック交渉応答メッセージを受信するステップであって、当該コーデック交渉応答メッセージはＭＲＦエンティティにより決定されたコーデックに関する情報を運搬するステップと、発信側ＵＥが、当該コーデックに関する受信した情報に従って、ＭＲＦエンティティにより送信されたオーディオ・ファイルを復号化し、当該復号化したオーディオ・ファイルを再生するように、ＡＳにより、ＭＲＦエンティティにより決定されたコーデックに関する情報を発信側ＵＥに送信するステップであって、ＭＲＦエンティティにより送信されたオーディオ・ファイルは着信側ＵＥが加入ネットワークを変更したことを示す音声通知情報を含むステップとを含む。
【００１５】
第１の態様または第１の態様の第１乃至第３の可能な実装方式のうち何れか１つを参照して、第１の態様の第５の可能な実装方式では、課金認証に成功した後、当該方法はさらに、ＡＳにより、ＯＣＳにより送信された初期クレジット制御応答メッセージを受信するステップであって、当該初期クレジット制御応答メッセージは付与サービス単位を運搬するステップと、ＡＳにより、当該付与サービス単位と発信側ＵＥの番号の間の対応を格納し、ＣＳＣＦエンティティに、ナンバー・ポータビリティ情報を運搬する招待メッセージを送信するステップとを含む。
【００１６】
第２の態様では、本発明の１実施形態は、ＩＭＳネットワーク内の発信側ＵＥが着信側ＵＥへの呼を開始したとき、ＩＭＳネットワーク内のＣＳＣＦエンティティにより送信された招待メッセージを受信するように構成された受信ユニットであって、当該招待メッセージは発信側ＵＥの番号と着信側ＵＥの番号を運搬する受信ユニットと、ナンバー・ポータビリティ情報問合せ要求をＮＰＤＢサーバに送信するように構成された送信ユニットであって、当該ナンバー・ポータビリティ情報問合せ要求は当該受信ユニットにより受信された着信側ＵＥの番号を運搬する送信ユニットとを備えた、ＩＭＳネットワーク内のアプリケーション・サーバを提供する。当該受信ユニットはさらに、ＮＰＤＢサーバにより送信されたナンバー・ポータビリティ情報問合せ応答を受信するように構成され、当該ナンバー・ポータビリティ情報問合せ応答は着信側ＵＥの番号に対応するナンバー・ポータビリティ情報を運搬し、当該送信ユニットはさらに、初期クレジット制御要求メッセージをＩＭＳネットワーク内のＯＣＳに送信するように構成され、ＯＣＳがナンバー・ポータビリティ情報と発信側ＵＥの番号に従って発信側ＵＥに対する課金認証を実施するように、当該初期クレジット制御要求メッセージは、当該受信ユニットにより受信されたナンバー・ポータビリティ情報と当該受信ユニットにより受信された発信側ＵＥの番号を運搬する。
【００１７】
第２の態様の第１の可能な実装方式では、当該ナンバー・ポータビリティ情報はルーティング番号を含む。
【００１８】
第２の態様の第２の可能な実装方式では、当該ナンバー・ポータビリティ情報はポートイン・アイデンティティを含み、当該ポートイン・アイデンティティは、着信側ＵＥが別の通信ネットワークからＩＭＳネットワークにポートインされていると示すために使用される。
【００１９】
第２の態様または第２の態様の第１のまたは第２の可能な実装方式を参照して、第２の態様の第３の可能な実装方式では、当該受信ユニットにより送信された招待メッセージはさらに発信側ＵＥによりサポートされるコーデックに関する情報を運搬し、当該送信ユニットはさらに、当該受信ユニットがＮＰＤＢサーバにより送信されたナンバー・ポータビリティ情報問合せ応答を受信した後に、コーデック交渉要求メッセージをＩＭＳネットワーク内のＭＲＦエンティティに送信するように構成され、ＭＲＦエンティティが、ＭＲＦエンティティによりサポートされるコーデックに関する情報と発信側ＵＥによりサポートされるコーデックに関する情報に従って、ＭＲＦエンティティと発信側ＵＥの両方によりサポートされるコーデックを決定するように、当該コーデック交渉要求メッセージは発信側ＵＥによりサポートされるコーデックに関する情報を運搬し、当該受信ユニットはさらに、ＭＲＦエンティティにより送信されたコーデック交渉応答メッセージを受信するように構成され、当該コーデック交渉応答メッセージはＭＲＦエンティティにより決定されたコーデックに関する情報を運搬し、当該送信ユニットはさらに、ＭＲＦエンティティにより決定されたコーデックに関する情報を発信側ＵＥに送信するように構成され、発信側ＵＥが、当該コーデックに関する受信した情報に従って、ＭＲＦエンティティにより送信されたオーディオ・ファイルを復号化し、当該復号化したオーディオ・ファイルを再生するように、当該コーデックに関する情報は当該受信ユニットにより受信され、ＭＲＦエンティティにより送信されたオーディオ・ファイルは着信側ＵＥが加入ネットワークを変更したことを示す音声通知情報を含む。
【００２０】
第２の態様または第２の態様の第１のまたは第２の可能な実装方式を参照して、第２の態様の第４の可能な実装方式では、当該受信ユニットはさらに、ＯＣＳにより送信された初期クレジット制御応答メッセージを受信するように構成され、当該初期クレジット制御応答メッセージは付与サービス単位を運搬し、当該送信ユニットはさらに、当該付与サービス単位と発信側ＵＥの番号の間の対応を格納し、ナンバー・ポータビリティ情報を運搬する招待メッセージをＣＳＣＦエンティティに送信するように構成される。
【００２１】
第３の態様では、本発明の１実施形態は、ＩＭＳネットワーク内のＡＳおよびＩＭＳネットワーク内のＮＰＤＢサーバを備えたナンバー・ポータビリティ・サービスに基づく課金システムを提供する。ＡＳは、ＩＭＳネットワーク内の発信側ＵＥが着信側ＵＥへの呼を開始したとき、ＩＭＳネットワーク内のＣＳＣＦエンティティにより送信された招待メッセージを受信するように構成され、当該招待メッセージは発信側ＵＥの番号と着信側ＵＥの番号を運搬し、ナンバー・ポータビリティ情報問合せ要求をＮＰＤＢサーバに送信し、当該ナンバー・ポータビリティ情報問合せ要求は着信側ＵＥの番号を運搬し、ＮＰＤＢサーバは、ＡＳにより送信されたナンバー・ポータビリティ情報問合せ要求を受信し、着信側ＵＥの番号に対応するナンバー・ポータビリティ情報を問い合わせ、ナンバー・ポータビリティ情報問合せ応答をＡＳに送信し、当該ナンバー・ポータビリティ情報問合せ応答は着信側ＵＥの番号に対応するナンバー・ポータビリティ情報を運搬し、ＡＳはさらに、ＮＰＤＢサーバにより送信されたナンバー・ポータビリティ情報問合せ応答を受信し、初期クレジット制御要求メッセージをＩＭＳネットワーク内のＯＣＳに送信するように構成され、ＯＣＳがナンバー・ポータビリティ情報と発信側ＵＥの番号に従って発信側ＵＥに対する課金認証を実施するように、当該初期クレジット制御要求メッセージはナンバー・ポータビリティ情報と発信側ＵＥの番号を運搬する。
【００２２】
第３の態様の第１の可能な実装方式では、当該システムはさらに、ＡＳにより送信された初期クレジット制御要求メッセージを受信し、発信側ＵＥに対する課金認証を、当該初期クレジット制御要求メッセージ内のナンバー・ポータビリティ情報と発信側ＵＥの番号に従って実施するように構成されたＯＣＳを備える。
【００２３】
本発明の諸実施形態で提供するＮＰサービスに基づくオンライン課金方法、装置、およびシステムによれば、着信側ＵＥが加入ネットワークを変更してＮＰサービスに加入したとき、および、ＩＭＳネットワーク内の発信側ＵＥが着信側ＵＥへの呼を開始したとき、ＩＭＳネットワーク内のＡＳによりＩＭＳネットワーク内のＯＣＳに送信された初期ＣＣＲメッセージが着信側ＵＥのＮＰ情報を含む。先行技術と比べると、ＯＣＳが、着信側ＵＥのＮＰ情報に従って着信側ＵＥが属する受信側ネットワークを決定し、着信側ＵＥが属する通信ネットワークが着信側ＵＥの番号に従って決定されるという欠点が回避され、その結果、ＯＣＳが発信側ＵＥに対して課金認証を正しく実施することができる。
【００２４】
本発明の諸実施形態の技術的解決策をより明確に説明するために、以下では当該諸実施形態または先行技術を説明するのに必要な添付図面を簡単に説明する。明らかに、以下の説明における添付図面は本発明の幾つかの実施形態を示すにすぎず、当業者は創造的作業なしにこれらの添付図面から他の図面を導出することができる。
【図面の簡単な説明】
【００２５】
【図１】本発明の１実施形態に従うＮＰサービスに基づくオンライン課金システムのアーキテクチャ図である。
【図２】本発明の１実施形態に従うＮＰサービスに基づくオンライン課金方法の流れ図である。
【図３】本発明の１実施形態に従うＮＰサービスに基づく別のオンライン課金方法の流れ図である。
【図４】本発明の１実施形態に従うＮＰサービスに基づくさらに別のオンライン課金方法の流れ図である。
【図５】本発明の１実施形態に従うＮＰサービスに基づくオンライン課金システムの構造図である。
【図６】本発明の１実施形態に従うＩＭＳネットワーク内のアプリケーション・サーバの構造図である。
【図７】本発明の１実施形態に従うＩＭＳネットワーク内の別のアプリケーション・サーバの構造図である。
【発明を実施するための形態】
【００２６】
以下では本発明の諸実施形態における添付図面を参照して本発明の諸実施形態の技術的解決策を明確かつ十分に説明する。明らかに、説明する実施形態は本発明の諸実施形態の全部ではなく一部にすぎない。当業者が創造的作業なしに本発明の諸実施形態に基づいて取得する他の全ての実施形態は本発明の保護範囲に入るものとする。
【００２７】
図１は、本発明の１実施形態に従うＮＰサービスに基づくオンライン課金システムのアーキテクチャ図である。着信側ＵＥが加入ネットワークを変更してＮＰサービスに加入し、着信側ＵＥが現在加入しているネットワークは受信側ネットワーク（Ｒｅｃｉｐｉｅｎｔ  Ｎｅｔｗｏｒｋ）として知られる。ＩＭＳネットワーク内の発信側ＵＥが着信側ＵＥへの呼を開始したとき、ＩＭＳネットワーク内のＣＳＣＦ（Ｃａｌｌ  Ｓｅｓｓｉｏｎ  Ｃｏｎｔｒｏｌ  Ｆｕｎｃｔｉｏｎ、呼セッション制御機能）エンティティにより送信された招待メッセージを受信した後、ＩＭＳネットワーク内のＡＳがＮＰＤＢサーバ内の着信側ＵＥの番号に対応するＮＰ情報を問い合わせ、ＡＳが見つかったＮＰ情報をＯＣＳに送信し、ＯＣＳが当該ＮＰ情報に従って発信側ＵＥに対する課金認証を実施するようにする。
【００２８】
ＮＰＤＢサーバがパブリックＮＰＤＢサーバであってもよく、または、ＩＭＳネットワーク内のプライベートＮＰＤＢサーバであってもよく、本発明の当該実施形態では限定されない。
【００２９】
着信側ＵＥが属する受信側ネットワークとＩＭＳネットワークが同一の通信ネットワークでなくともよく、または、同一の通信ネットワークであってもよいことに留意されたい。着信側ＵＥが属する受信側ネットワークとＩＭＳネットワークが同一の通信ネットワークであるとき、着信側ＵＥが別の通信ネットワークからＩＭＳネットワークにポートイン（ｐｏｒｔ  ｉｎ）される。
【００３０】
着信側ＵＥが加入ネットワークを変更しＮＰサービスに加入した後、着信側ＵＥが現在属する通信ネットワークは着信側ＵＥが属する受信側ネットワークであることに留意されたい。
【００３１】
限定ではなく例として、発信側ＵＥはモバイル電話、固定電話、呼をサポートするタブレットコンピュータ、および様々な他のインテリジェント端末を含んでもよく、着信側ＵＥはモバイル電話、固定電話、呼をサポートするタブレットコンピュータ、および様々な他のインテリジェント端末を含んでもよい。
【００３２】
図１に示すシステム・アーキテクチャ図に基づいて、本発明の１実施形態ではＮＰサービスに基づくオンライン課金方法を提供する。図２に示すように当該方法は以下を含む。
【００３３】
Ｓ２０１では、ＩＭＳネットワーク内の発信側ＵＥが着信側ＵＥへの呼を開始するとき、ＩＭＳネットワーク内のＡＳがＩＭＳネットワーク内のＣＳＣＦエンティティにより送信された招待メッセージを受信する。当該招待メッセージは発信側ＵＥの番号と着信側ＵＥの番号を運搬する。
【００３４】
ＡＳが共通アプリケーション・サーバ（Ｃｏｍｍｏｎ  Ａｐｐｌｉｃａｔｉｏｎ  Ｓｅｒｖｅｒ、略してＣｏｍｍｏｎ  ＡＳ）であってもよく、共通アプリケーション・サーバを、権限制御や呼課金のような機能をＩＭＳネットワーク内のユーザ機器に提供するように構成してもよい。
【００３５】
当該招待メッセージを送信するＣＳＣＦエンティティがＳ−ＣＳＣＦエンティティであってもよいことに留意されたい。
【００３６】
Ｓ２０２では、ＡＳがナンバー・ポータビリティ情報問合せ要求をＮＰＤＢサーバに送信する。当該ナンバー・ポータビリティ情報問合せ要求は着信側ＵＥの番号を運搬する。
【００３７】
ＮＰＤＢサーバがパブリックＮＰＤＢサーバであってもよく、またはＩＭＳネットワーク内のプライベートＮＰＤＢサーバであってもよく、本発明の当該実施形態では限定されない。
【００３８】
Ｓ２０３では、ＡＳがＮＰＤＢサーバにより送信されたナンバー・ポータビリティ情報問合せ応答を受信する。当該ナンバー・ポータビリティ情報問合せ応答は着信側ＵＥの番号に対応するＮＰ情報を運搬する。
【００３９】
ユーザ機器の番号とＮＰ情報の間の対応がＮＰＤＢサーバに格納され、したがってＮＰＤＢサーバは、着信側ＵＥの番号に従って、着信側ＵＥの番号に対応するＮＰ情報を取得することができる。
【００４０】
当該ＮＰ情報はルーティング番号またはポートイン・アイデンティティを含んでもよいことに留意されたい。当該ポートイン・アイデンティティは、着信側ＵＥが別の通信ネットワークからＩＭＳネットワークにポートインされていると示すために使用される。当該ＮＰ情報がルーティング番号を含むとき、ＡＳが、着信側ＵＥが属する受信側ネットワークを当該ルーティング番号に従って決定してもよい。当該ＮＰ情報がポートイン・アイデンティティを含むとき、ＡＳが、着信側ＵＥが属する受信側ネットワークがＩＭＳネットワークであると判定してもよい。
【００４１】
Ｓ２０４では、ＯＣＳがＮＰ情報と発信側ＵＥの番号に従って発信側ＵＥに対する課金認証を実施するように、ＡＳが初期ＣＣＲメッセージをＩＭＳネットワーク内のＯＣＳに送信する。初期ＣＣＲメッセージはＮＰ情報と発信側ＵＥの番号を含む。
【００４２】
ＣＣＲメッセージはＣＣ−Ｒｅｑｕｅｓｔ−Ｔｙｐｅフィールドを運搬し、初期ＣＣＲメッセージはＣＣ−Ｒｅｑｕｅｓｔ−ＴｙｐｅがＩＮＩＴＩＡＬ＿ＲＥＱＵＥＳＴであるＣＣＲメッセージを指すことに留意されたい。
【００４３】
ＯＣＳが発信側ＵＥに対する課金認証を以下の方式で実施してもよい。
【００４４】
方式１：ＮＰ情報がルーティング番号を含み、ＯＣＳは、着信側ＵＥが属する受信側ネットワークを当該ルーティング番号に従って決定し、ＩＭＳネットワークと受信側ネットワークの間の通話の課金率を決定し、発信側ＵＥに対する課金認証を発信側ＵＥの番号と当該課金率に従って実施する。
【００４５】
方式２：ＮＰ情報はポートイン・アイデンティティを含む。当該ポートイン・アイデンティティと発信側ＵＥの番号に従って、ＯＣＳが、ＩＭＳネットワークにおけるネットワーク内通話の課金率に基づいて発信側ＵＥに対する課金認証を実施する。
【００４６】
ＯＣＳにより発信側ＵＥに対して実施された課金認証が成功した後、ＡＳがＯＣＳにより送信された初期ＣＣＡ（Ｃｒｅｄｉｔ  Ｃｏｎｔｒｏｌ  Ａｎｓｗｅｒ、クレジット制御応答）メッセージをさらに受信してもよいことに留意されたい。当該初期ＣＣＡメッセージはＧＳＵ（Ｇｒａｎｔｅｄ  Ｓｅｒｖｉｃｅ  Ｕｎｉｔ、付与サービス単位）を運搬し、ＡＳが当該ＧＳＵと発信側ＵＥの番号の間の対応を格納し、ＣＳＣＦエンティティに当該ＮＰ情報を運搬する招待メッセージを送信する。
【００４７】
当該ＧＳＵは、ＯＣＳにより付与され発信側ＵＥと着信側ＵＥの間の呼のプロセスにおいてＡＳにより使用できるサービス単位である。一般に、当該ＧＳＵは秒単位である。
【００４８】
本発明の当該実施形態で提供するＮＰサービスに基づくオンライン課金方法によれば、着信側ＵＥが加入ネットワークを変更してＮＰサービスに加入したとき、および、ＩＭＳネットワーク内の発信側ＵＥが着信側ＵＥへの呼を開始したとき、ＩＭＳネットワーク内のＡＳによりＩＭＳネットワーク内のＯＣＳに送信された初期ＣＣＲメッセージが着信側ＵＥのＮＰ情報を含む。先行技術と比べると、ＯＣＳが、着信側ＵＥのＮＰ情報に従って着信側ＵＥが属する受信側ネットワークを決定し、着信側ＵＥが属する通信ネットワークが着信側ＵＥの番号に従って決定されるという欠点が回避され、その結果、ＯＣＳが、発信側ＵＥに対して課金認証を正しく実施することができる。
【００４９】
図３は、本発明の１実施形態に従うＮＰサービスに基づくオンライン課金方法の流れ図である。当該方法は以下を含む。
【００５０】
Ｓ３０１では、ＩＭＳネットワーク内の発信側ＵＥが招待（Ｉｎｖｉｔｅ）メッセージをＩＭＳネットワーク内のＳ−ＣＳＣＦエンティティに送信する。当該招待メッセージは発信側ＵＥの番号と着信側ＵＥの番号を運搬する。
【００５１】
ＵＥの番号を用いてＵＥを識別してもよく、ＵＥの番号には、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ、国際モバイル加入者番号エンティティ）、ＩＭＥＩ（（Ｉｎｔｅｒｎａｔｉｏｎａｌ  Ｍｏｂｉｌｅ  Ｅｑｕｉｐｍｅｎｔ  Ｉｄｅｎｔｉｔｙ、国際モバイル機器番号エンティティ）、ｏｒＭＳＩＳＤＮ（Ｍｏｂｉｌｅ  Ｓｔａｔｉｏｎ  Ｉｎｔｅｒｎａｔｉｏｎａｌ  Ｉｎｔｅｇｒａｔｅｄ  Ｓｅｒｖｉｃｅｓ  Ｄｉｇｉｔａｌ  Ｎｅｔｗｏｒｋ  ｎｕｍｂｅｒ、移動局国際統合サービス・デジタル・ネットワーク番号）が含まれうるがこれらに限らないことに留意されたい。
【００５２】
発信側ＵＥが、Ｐ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ、プロキシ呼セッション制御機能）を通じて当該招待メッセージをＳ−ＣＳＣＦに送信してもよいことに留意されたい。
【００５３】
Ｓ３０２では、Ｓ−ＣＳＣＦエンティティが当該招待メッセージをＩＭＳネットワーク内のＡＳに送信する。
【００５４】
Ｓ−ＣＳＣＦエンティティが、発信側ＵＥのｉＦＣ（ｉｎｉｔｉａｌ  Ｆｉｌｔｅｒ  Ｃｒｉｔｅｒｉａ、初期フィルタ基準）に従って当該招待メッセージをＡＳに送信してもよい。ＡＳがＣｏｍｍｏｎ  ＡＳであってもよいことに留意されたい。
【００５５】
Ｓ３０３では、ＡＳがＮＰ情報問合せ要求をＮＰＤＢサーバに送信する。当該ＮＰ情報問合せ要求は着信側ＵＥの番号を運搬する。
【００５６】
ＮＰＤＢサーバがパブリックＮＰＤＢサーバであってもよく、または、ＩＭＳネットワーク内のプライベートＮＰＤＢサーバであってもよい。
【００５７】
場合によっては、ＡＳが、ＥＮＵＭ（（Ｅ．１６４  Ｎｕｍｂｅｒ  ｔｏ  ＵＲＩ  Ｍａｐｐｉｎｇ、Ｅ．１６４ナンバー・ツー・ＵＲＩマッピング）プロトコルを通じて当該ＮＰ情報問合せ要求をＮＰＤＢサーバに送信してもよい。
【００５８】
Ｓ３０４では、ＮＰＤＢサーバが、着信側ＵＥの番号に従って、着信側ＵＥの番号に対応するルーティング番号を問い合わせ、着信側ＵＥの番号に対応するルーティング番号が見つかった後、ＮＰ情報問合せ応答をＡＳに送信する。当該ＮＰ情報問合せ応答は当該ルーティング番号を運搬する。
【００５９】
ＵＥの番号とルーティング番号の間の対応がＮＰＤＢサーバに格納され、したがってＮＰＤＢサーバは、ＵＥの番号に従って、当該ＵＥの番号に対応するルーティング番号を発見することができる。
【００６０】
当該ルーティング番号がスイッチのアドレスであってもよく、着信側ＵＥが属する受信側ネットワークを、当該ルーティング番号を用いて発見してもよい。
【００６１】
発信側ＵＥにより送信された招待メッセージがさらに発信側ＵＥによりサポートされるコーデックに関する情報を運搬してもよい。ＮＰＤＢサーバにより送信されたＮＰ情報問合せ応答を受信した後、ＡＳは、コーデック交渉要求メッセージをＩＭＳネットワーク内のＭＲＦ（Ｍｕｌｔｉｍｅｄｉａ  Ｒｅｓｏｕｒｃｅ  Ｆｕｎｃｔｉｏｎ、マルチメディア・リソース機能）エンティティに送信してもよい。当該コーデック交渉要求メッセージは発信側ＵＥによりサポートされるコーデックに関する情報を運搬する。ＭＲＦエンティティが、ＭＲＦエンティティによりサポートされるコーデックに関する情報と発信側ＵＥによりサポートされるコーデックに関する情報に従って、ＭＲＦエンティティと発信側ＵＥの両方によりサポートされるコーデックを決定し、コーデック交渉応答メッセージをＡＳに送信する。当該コーデック交渉応答メッセージはＭＲＦエンティティにより決定されたコーデックに関する情報を運搬する。ＡＳはＭＲＦエンティティにより決定されたコーデックに関する情報を発信側ＵＥに送信する。発信側ＵＥが、当該コーデックに関する受信した情報に従って、ＭＲＦエンティティにより送信されたオーディオ・ファイルを復号化し、当該復号化したオーディオ・ファイルを再生する。ＭＲＦエンティティにより送信されたオーディオ・ファイルは着信側ＵＥが加入ネットワークを変更したことを示す音声通知情報を含む。
【００６２】
ＭＲＦエンティティと発信側ＵＥの両方によりサポートされるコーデックを決定した後に、ＭＲＦエンティティが当該オーディオ・ファイルを発信側ＵＥに送信してもよいことに留意されたい。
【００６３】
Ｓ３０５では、ＡＳが初期ＣＣＲメッセージをＩＭＳネットワーク内のＯＣＳに送信する。初期ＣＣＲメッセージはルーティング番号と発信側ＵＥの番号を運搬する。
【００６４】
当該ルーティング番号を初期ＣＣＲメッセージのＡＶＰ（Ａｔｔｒｉｂｕｔｅ  Ｖａｌｕｅ  Ｐａｉｒ、属性値対）で運搬してもよいことに留意されたい。特に、当該ルーティング番号を初期ＣＣＲメッセージのＮｕｍｂｅｒ−Ｐｏｒｔａｂｉｌｉｔｙ−Ｒｏｕｔｉｎｇ−Ｉｎｆｏｒｍａｔｉｏｎ  ＡＶＰで運搬してもよい
【００６５】
Ｓ３０６では、ＯＣＳは、着信側ＵＥが属する受信側ネットワークを当該ルーティング番号に従って決定し、ＩＭＳネットワークと受信側ネットワークの間の通話の課金率を決定し、発信側ＵＥの番号と当該課金率に従って発信側ＵＥに対する課金認証を実施する。
【００６６】
限定ではなく例として、発信側ＵＥの加入ネットワークはチャイナ・モバイルが展開する通信ネットワークである。即ち、発信側ＵＥが属する通信ネットワークはチャイナ・モバイルが展開する通信ネットワークである。着信側ＵＥの元の加入ネットワークはチャイナ・モバイルが展開する通信ネットワークであり、着信側ＵＥの加入ネットワークが、チャイナ・テレコムが展開する通信ネットワークに変更される。即ち、着信側ＵＥの受信側ネットワークはチャイナ・テレコムが展開する通信ネットワークである。発信側ＵＥが着信側ＵＥに発信すると、チャイナ・モバイルにより展開された通信ネットワーク内のＯＣＳが、着信側ＵＥのＮＰ情報に従って、チャイナ・テレコムが展開する通信ネットワークに着信側ＵＥががポート・アウト（ｐｏｒｔ  ｏｕｔ）したことを学習することができる。この場合、ＯＣＳがネットワーク間の呼の課金率に従って発信側ＵＥに対する課金認証を実施する。発信側ＵＥの現在の口座の残高が１元である場合、ネットワーク内通話の課金率は０．５元／分であり、ネットワーク間の呼の課金率は１．５元／分である。なぜならば、口座の残高が、最小呼期間（例えば、１分）での呼に必要な課金を下回り、ＯＣＳにより発信側ＵＥに対して実施された課金認証が失敗するからである。
【００６７】
本発明の当該実施形態では、着信側ＵＥが属する受信側ネットワークと発信側ＵＥが属するＩＭＳネットワーク同一の通信ネットワークであってもよく、または同一の通信ネットワークでなくともよく、本発明の当該実施形態では限定されないことに留意されたい。
【００６８】
着信側ＵＥが属する受信側ネットワークと発信側ＵＥが属するＩＭＳネットワークが同一の通信ネットワークであるというのは、着信側ＵＥが属する受信側ネットワークと発信側ＵＥが属するＩＭＳネットワークが同一の運営者が展開する通信ネットワークであることをいう。
【００６９】
Ｓ３０７では、課金認証に成功した後、ＯＣＳが初期ＣＣＡメッセージをＡＳに送信する。当該初期ＣＣＡメッセージはＧＳＵを運搬する。
【００７０】
ＣＣＡメッセージはＣＣ−Ｒｅｑｕｅｓｔ−Ｔｙｐｅフィールドを運搬し、当該初期ＣＣＡメッセージは、ＣＣ−Ｒｅｑｕｅｓｔ−ＴｙｐｅがＩＮＩＴＩＡＬ＿ＲＥＱＵＥＳＴであるＣＣＡメッセージを指す。
【００７１】
ＯＣＳが受信した初期ＣＣＲメッセージがさらに、ＲＳＵ（Ｒｅｑｕｅｓｔ  Ｓｅｒｖｉｃｅ  Ｕｎｉｔ、要求サービス単位）を運搬してもよい。課金認証に成功した後、ＯＣＳが、発信側ＵＥのＲＳＵと口座残高に従って当該ＧＳＵを割り当てる。当該ＲＳＵは、ＡＳによりＯＣＳに要求され発信側ＵＥと着信側ＵＥの間の呼のプロセスで使用できるサービス単位である。一般に、当該ＲＳＵは秒単位である。
【００７２】
当該初期ＣＣＡメッセージを受信した後、ＡＳが、課金認証が成功したかどうかを当該初期ＣＣＡメッセージ内のＲｅｓｕｌｔ−Ｃｏｄｅ値に従って決定してもよいことに留意されたい。場合によっては、当該初期ＣＣＡメッセージがルーティング番号を運搬してもよい。
【００７３】
Ｓ３０８では、ＡＳが当該ＧＳＵと発信側ＵＥの番号の間の対応を格納し、招待メッセージをＳ−ＣＳＣＦエンティティに送信する。ＡＳによりＳ−ＣＳＣＦエンティティに送信された招待メッセージはルーティング番号と着信側ＵＥの番号を運搬する。
【００７４】
ＡＳが、当該初期ＣＣＡメッセージ内のＲｅｓｕｌｔ−Ｃｏｄｅ値に従って、発信側ＵＥに対する課金認証が失敗したと判定したとき、ＡＳは発信側ＵＥにより開始された呼を拒否することに留意されたい。
【００７５】
Ｓ３０９では、Ｓ−ＣＳＣＦが、当該ルーティング番号に従って招待メッセージを着信側ＵＥが属する受信側ネットワークに送信する。受信側ネットワークに送信された招待メッセージは当該ルーティング番号と着信側ＵＥの番号を運搬する。
【００７６】
特に、Ｓ−ＣＳＣＦは、当該ルーティング情報に従って着信側ＵＥが属する受信側ネットワークを決定する。受信側ネットワークがＰＳＴＮ（Ｐｕｂｌｉｃ  Ｓｗｉｔｃｈｅｄ  Ｔｅｌｅｐｈｏｎｅ  Ｎｅｔｗｏｒｋ、公衆交換電話網）ネットワークであるとき、Ｓ−ＣＳＣＦは、ＰＳＴＮネットワーク内のＭＧＣＦ（Ｍｅｄｉａ  Ｇａｔｅｗａｙ  Ｃｏｎｔｒｏｌ  Ｆｕｎｃｔｉｏｎ、媒体ゲートウェイ制御機能）エンティティに、当該ルーティング番号と着信側ＵＥの番号を運搬する招待メッセージを送信する。受信側ネットワークがＩＭＳネットワークであるとき、Ｓ−ＣＳＣＦが、ＩＭＳネットワーク内のＩ−ＣＳＣＦ（Ｉｎｔｅｒｒｏｇａｔｉｎｇ−Ｃａｌｌ  Ｓｅｓｓｉｏｎ  Ｃｏｎｔｒｏｌ  Ｆｕｎｃｔｉｏｎ、問合せ呼セッション制御機能）エンティティに、当該ルーティング番号と着信側ＵＥの番号を運搬する招待メッセージを送信する。
【００７７】
受信側ネットワークに送信された招待メッセージがさらに、発信側ＵＥの番号を運搬してもよい。
【００７８】
Ｓ３１０では、着信側ＵＥが当該招待メッセージを受信した後、着信側ＵＥがリンギングを開始し、着信側ＵＥが属する受信側ネットワークを通じてリンギング応答メッセージをＳ−ＣＳＣＦエンティティに送信する。当該リンギング応答メッセージは１８０メッセージまたは１８３メッセージを含んでもよい。Ｓ３１１では、Ｓ−ＣＳＣＦエンティティが当該リンギング応答メッセージをＡＳに送信する。Ｓ３１２では、ＡＳが当該リンギング応答メッセージをＳ−ＣＳＣＦに送信する。Ｓ３１３では、Ｓ−ＣＳＣＦが当該リンギング応答メッセージを発信側ＵＥに送信する。Ｓ３１４では、着信側ＵＥが発信側ＵＥと通信し始めるとき、着信側ＵＥが、着信側ＵＥが属する受信側ネットワークを通じて２００メッセージをＳ−ＣＳＣＦに送信する。Ｓ３１５では、Ｓ−ＣＳＣＦエンティティが２００メッセージをＡＳに送信する。Ｓ３１６では、ＡＳが２００メッセージをＳ−ＣＳＣＦに送信する。Ｓ３１７では、Ｓ−ＣＳＣＦが２００メッセージを発信側ＵＥに送信する。Ｓ３１８では、ＡＳが、更新されたＣＣＲメッセージをＯＣＳに送信する。更新されたＣＣＲメッセージはＲＳＵとＵＳＵ（Ｕｓｅｄ  Ｓｅｒｖｉｃｅ  Ｕｎｉｔ、使用済みサービス単位）を運搬する。
【００７９】
更新されたＣＣＲメッセージとは、ＣＣ−Ｒｅｑｕｅｓｔ−ＴｙｐｅがＵＰＤＡＴＥ＿ＲＥＱＵＥＳＴであるＣＣＲメッセージを指す。
【００８０】
ＵＳＵは、ＡＳによりＯＣＳに報告され発信側ＵＥと着信側ＵＥの間の呼のプロセスで使用されているサービス単位を指す。一般に、当該ＵＳＵは秒単位である。当該ステップでは、当該ＵＳＵの値は０秒である。
【００８１】
更新されたＣＣＲメッセージがさらに、ルーティング番号および発信側ＵＥの番号を運搬してもよいことに留意されたい。
【００８２】
Ｓ３１９では、ＯＣＳが、更新されたＣＣＲメッセージで運搬されるＲＳＵおよびＵＳＵに従ってＧＳＵを割り当て、更新されたＣＣＡメッセージを通じて当該割り当てられたＧＳＵをＡＳに送信する。
【００８３】
特に、ＯＣＳが発信側ＵＥのＲＳＵ、ＵＳＵ、および口座残高に従って当該ＧＳＵを発信側ＵＥに割り当ててもよい。
【００８４】
更新されたＣＣＡメッセージとは、ＣＣ−Ｒｅｑｕｅｓｔ−ＴｙｐｅがＵＰＤＡＴＥ＿ＲＥＱＵＥＳＴであるＣＣＡメッセージを指す。
【００８５】
更新されたＣＣＲメッセージを受信した後、ＡＳが、更新されたＣＣＡメッセージ内のＧＳＵと発信側ＵＥの番号の間の対応を格納する。
【００８６】
ＯＣＳにより割り当てられたＧＳＵを使い切ったが呼が終了していないとき、ＯＣＳが新たなＧＳＵを発信側ＵＥに再割当てするように、ＡＳは更新されたＣＣＲメッセージをＯＣＳに再送する必要があることに留意されたい。
【００８７】
Ｓ３２０では、当該呼が終了し発信側ＵＥがハングアップしたとき、発信側ＵＥはバイ（ＢＹＥ）メッセージをＡＳに送信する。
【００８８】
発信側ＵＥが、Ｓ−ＣＳＣＦエンティティを通じて当該バイ・メッセージをＡＳに送信してもよい。
【００８９】
Ｓ３２１では、ＡＳが終了ＣＣＲメッセージをＯＣＳに送信する。当該終了ＣＣＲメッセージはＵＳＵを運搬する。
【００９０】
終了ＣＣＲメッセージを受信した後、ＡＳはさらにバイ・メッセージを着信側ＵＥに送信してもよい。
【００９１】
当該終了ＣＣＲメッセージは、ＣＣ−Ｒｅｑｕｅｓｔ−ＴｙｐｅがＴＥＲＭＩＮＡＴＥ＿ＲＥＱＵＥＳＴであるＣＣＲメッセージを指すことに留意されたい。
【００９２】
Ｓ３２２では、ＯＣＳは、当該終了ＣＣＲメッセージで運搬されるＵＳＵに従って発信側ＵＥに対する課金処理を実施し、当該処理が完了した後、終了ＣＣＡメッセージをＡＳに送信する。
【００９３】
当該終了ＣＣＲメッセージで運搬されるＵＳＵは、最後に更新されたＣＣＡメッセージをＡＳが受信した後の発信側ＵＥと着信側ＵＥの間の呼の期間である。
【００９４】
当該終了ＣＣＡメッセージは、ＣＣ−Ｒｅｑｕｅｓｔ−ＴｙｐｅがＴＥＲＭＩＮＡＴＥ＿ＲＥＱＵＥＳＴであるＣＣＡメッセージを指すことに留意されたい。
【００９５】
本発明の当該実施形態で提供するＮＰサービスに基づくオンライン課金方法によれば、着信側ＵＥが加入ネットワークを変更してＮＰサービスに加入したとき、および、ＩＭＳネットワーク内の発信側ＵＥが着信側ＵＥへの呼を開始したとき、ＩＭＳネットワーク内のＡＳによりＩＭＳネットワーク内のＯＣＳに送信された初期ＣＣＲメッセージが着信側ＵＥのＮＰ情報を含む。先行技術と比べると、ＯＣＳが、着信側ＵＥのＮＰ情報に従って着信側ＵＥが属する受信側ネットワークを決定し、着信側ＵＥが属する通信ネットワークが着信側ＵＥの番号に従って決定されるという欠点が回避され、その結果、ＯＣＳが、発信側ＵＥに対して課金認証を正しく実施することができる。さらに、発信側ＵＥは、ＭＲＦエンティティとのコーデック交渉を実施した後に得られたコーデックに関する情報に従って、ＭＲＦエンティティにより送信されたオーディオ・ファイルを復号化し、当該復号化したオーディオ・ファイルを再生する。その結果、発信側ＵＥを保持するユーザは着信側ＵＥが加入ネットワークを変更した時点を学習することができる。
【００９６】
図４は、本発明の１実施形態に従うＮＰサービスに基づく別のオンライン課金方法の流れ図である。当該方法は、ＩＭＳネットワーク内の発信側ＵＥが着信側ＵＥに発信するときに着信側ＵＥがＩＭＳネットワークにポートインするシナリオに適用される。当該方法は以下を含む。
【００９７】
Ｓ４０１では、ＩＭＳネットワーク内の発信側ＵＥが招待（Ｉｎｖｉｔｅ）メッセージをＩＭＳネットワーク内のＳ−ＣＳＣＦエンティティに送信する。当該招待メッセージは発信側ＵＥの番号と着信側ＵＥの番号を運搬する。
【００９８】
Ｓ４０２では、Ｓ−ＣＳＣＦエンティティが当該招待メッセージをＩＭＳネットワーク内のＡＳに送信する。
【００９９】
Ｓ４０３では、ＡＳがＮＰ情報問合せ要求をＮＰＤＢサーバに送信する。当該ＮＰ情報問合せ要求は着信側ＵＥの番号を運搬する。
【０１００】
ステップＳ４０１乃至ステップＳ４０３に関する詳細な説明については、それぞれステップＳ３０１乃至ステップＳ３０３を参照されたい。さらなる詳細についてはここでは提供しない。
【０１０１】
Ｓ４０４では、ＮＰＤＢサーバが、着信側ＵＥの番号に従って、着信側ＵＥの番号に対応するポートイン・アイデンティティを問い合わせ、ＮＰ情報問合せ応答をＡＳに送信する。当該ＮＰ情報問合せ応答は当該ポートイン・アイデンティティを運搬し、当該ポートイン・アイデンティティは、着信側ＵＥが別の通信ネットワークからＩＭＳネットワークにポートインされていると示すために使用される。
【０１０２】
ＵＥの番号とポートイン・アイデンティティの間の対応がＮＰＤＢサーバに格納され、したがってＮＰＤＢサーバは、ＵＥの番号に従って、ＵＥの番号に対応するポートイン・アイデンティティを発見することができる。
【０１０３】
発信側ＵＥにより送信された招待メッセージがさらに発信側ＵＥによりサポートされるコーデックに関する情報を運搬してもよい。ＮＰＤＢサーバにより送信されたＮＰ情報問合せ応答を受信した後、ＡＳが、コーデック交渉要求メッセージをＩＭＳネットワーク内のＭＲＦ（Ｍｕｌｔｉｍｅｄｉａ  Ｒｅｓｏｕｒｃｅ  Ｆｕｎｃｔｉｏｎ、マルチメディアリソース機能）エンティティに送信してもよい。当該コーデック交渉要求メッセージは発信側ＵＥによりサポートされるコーデックに関する情報を運搬する。ＭＲＦエンティティが、ＭＲＦエンティティによりサポートされるコーデックに関する情報と発信側ＵＥによりサポートされるコーデックに関する情報に従って、ＭＲＦエンティティと発信側ＵＥの両方によりサポートされるコーデックを決定し、コーデック交渉応答メッセージをＡＳに送信する。当該コーデック交渉応答メッセージはＭＲＦエンティティにより決定されたコーデックに関する情報を運搬する。ＡＳはＭＲＦエンティティにより決定されたコーデックに関する情報を発信側ＵＥに送信する。発信側ＵＥが、当該コーデックに関する受信した情報に従って、ＭＲＦエンティティにより送信されたオーディオ・ファイルを復号化し、当該復号化したオーディオ・ファイルを再生する。ＭＲＦエンティティにより送信されたオーディオ・ファイルは着信側ＵＥが加入ネットワークを変更したことを示す音声通知情報を含む。
【０１０４】
ＭＲＦエンティティと発信側ＵＥの両方によりサポートされるコーデックを決定した後に、ＭＲＦエンティティが当該オーディオ・ファイルを発信側ＵＥに送信してもよいことに留意されたい。
【０１０５】
Ｓ４０５では、ＡＳが初期ＣＣＲメッセージをＩＭＳネットワーク内のＯＣＳに送信する。初期ＣＣＲメッセージはポートイン・アイデンティティと発信側ＵＥの番号を運搬する。
【０１０６】
Ｓ４０６では、当該ポートイン・アイデンティティと発信側ＵＥの番号に従って、ＯＣＳが、ＩＭＳネットワークにおけるネットワーク内通話の課金率に基づいて発信側ＵＥに対する課金認証を実施する。
【０１０７】
Ｓ４０７では、課金認証に成功した後、ＯＣＳが初期ＣＣＡメッセージをＡＳに送信する。当該初期ＣＣＡメッセージはＧＳＵを運搬する。
【０１０８】
ＯＣＳが受信した初期ＣＣＲメッセージがさらにＲＳＵを運搬してもよく、ＯＣＳは、課金認証に成功した後、発信側ＵＥのＲＳＵと口座残高に従って当該ＧＳＵを割り当てる。場合によっては、初期ＣＣＡメッセージがポートイン・アイデンティティを運搬してもよい。
【０１０９】
Ｓ４０８では、ＡＳがＧＳＵと発信側ＵＥの番号の間の対応を格納し、招待メッセージをＳ−ＣＳＣＦエンティティに送信する。ＡＳによりＳ−ＣＳＣＦエンティティに送信された招待メッセージはポートイン・アイデンティティと着信側ＵＥの番号を運搬する。
【０１１０】
Ｓ４０９では、Ｓ−ＣＳＣＦがポートイン・アイデンティティに従って招待メッセージを着信側ＵＥに送信する。着信側ＵＥに送信された招待メッセージは当該ポートイン・アイデンティティと着信側ＵＥの番号を運搬する。
【０１１１】
着信側ＵＥがＩＭＳネットワークにポートインされており、発信側ＵＥと着信側ＵＥの両方がＩＭＳネットワークに配置されているので、Ｓ−ＣＳＣＦエンティティは、ＩＭＳネットワークにおいて、着信側ＵＥの番号に従って招待メッセージを着信側ＵＥに送信できることに留意されたい。
【０１１２】
Ｓ４１０では、着信側ＵＥが当該招待メッセージを受信した後、着信側ＵＥがリンギングを開始し、リンギング応答メッセージをＳ−ＣＳＣＦエンティティに送信する。Ｓ４１１では、Ｓ−ＣＳＣＦエンティティが当該リンギング応答メッセージをＡＳに送信する。Ｓ４１２では、ＡＳが当該リンギング応答メッセージをＳ−ＣＳＣＦに送信する。Ｓ４１３では、Ｓ−ＣＳＣＦが当該リンギング応答メッセージを発信側ＵＥに送信する。Ｓ４１４では、着信側ＵＥが発信側ＵＥと通信し始めるとき、着信側ＵＥが２００メッセージをＳ−ＣＳＣＦに送信する。Ｓ４１５では、Ｓ−ＣＳＣＦエンティティが２００メッセージをＡＳに送信する。Ｓ４１６では、ＡＳが２００メッセージをＳ−ＣＳＣＦに送信する。Ｓ４１７では、Ｓ−ＣＳＣＦが２００メッセージを発信側ＵＥに送信する。Ｓ４１８では、ＡＳが、更新されたＣＣＲメッセージをＯＣＳに送信する。更新されたＣＣＲメッセージはＲＳＵとＵＳＵを運搬する。当該ステップでは、当該ＵＳＵの値は０秒である。
【０１１３】
更新されたＣＣＲメッセージがさらに、ポートイン・アイデンティティおよび発信側ＵＥの番号を運搬してもよいことに留意されたい。
【０１１４】
Ｓ４１９では、ＯＣＳが、更新されたＣＣＲメッセージで運搬されるＲＳＵおよびＵＳＵに従ってＧＳＵを割り当て、更新されたＣＣＡメッセージを通じて当該割り当てられたＧＳＵをＡＳに送信する。
【０１１５】
特に、ＯＣＳが発信側ＵＥのＲＳＵ、ＵＳＵ、および口座残高に従って当該ＧＳＵを発信側ＵＥに割り当ててもよい。
【０１１６】
更新されたＣＣＲメッセージを受信した後、ＡＳが、更新されたＣＣＡメッセージ内のＧＳＵと発信側ＵＥの番号の間の対応を格納する。
【０１１７】
ＯＣＳにより割り当てられたＧＳＵを使い切ったが呼が終了していないとき、ＯＣＳが新たなＧＳＵを発信側ＵＥに再割当てするように、ＡＳは更新されたＣＣＲメッセージをＯＣＳに再送する必要があることに留意されたい。
【０１１８】
Ｓ４２０では、当該呼が終了し発信側ＵＥがハングアップしたとき、発信側ＵＥはバイ（ＢＹＥ）メッセージをＡＳに送信する。
【０１１９】
Ｓ４２１では、ＡＳが終了ＣＣＲメッセージをＯＣＳに送信する。当該終了ＣＣＲメッセージはＵＳＵを運搬する。
【０１２０】
当該終了ＣＣＲメッセージを受信した後、ＡＳはさらにバイ・メッセージを着信側ＵＥに送信してもよい。
【０１２１】
Ｓ４２２では、ＯＣＳは、当該終了ＣＣＲメッセージで運搬されるＵＳＵに従って発信側ＵＥに対する課金処理を実施し、当該処理が完了した後、終了ＣＣＡメッセージをＡＳに送信する。
【０１２２】
当該終了ＣＣＲメッセージで運搬されるＵＳＵは、最後に更新されたＣＣＡメッセージをＡＳが受信した後の発信側ＵＥと着信側ＵＥの間の呼の期間である。
【０１２３】
本発明の当該実施形態で提供するＮＰサービスに基づくオンライン課金方法によれば、着信側ＵＥが加入ネットワークを変更してＮＰサービスに加入したとき、および、ＩＭＳネットワーク内の発信側ＵＥが着信側ＵＥへの呼を開始したとき、ＩＭＳネットワーク内のＡＳによりＩＭＳネットワーク内のＯＣＳに送信された初期ＣＣＲメッセージが着信側ＵＥのＮＰ情報を含む。先行技術と比べると、ＯＣＳが、着信側ＵＥのＮＰ情報に従って着信側ＵＥが属する受信側ネットワークを決定し、着信側ＵＥが属する通信ネットワークが着信側ＵＥの番号に従って決定されるという欠点が回避され、その結果、ＯＣＳが、発信側ＵＥに対して課金認証を正しく実施することができる。さらに、発信側ＵＥは、ＭＲＦエンティティとのコーデック交渉を実施した後に得られたコーデックに関する情報に従って、ＭＲＦエンティティにより送信されたオーディオ・ファイルを復号化し、当該復号化したオーディオ・ファイルを再生する。その結果、発信側ＵＥを保持するユーザは着信側ＵＥが加入ネットワークを変更した時点を学習することができる。
【０１２４】
図５は、本発明の１実施形態に従うＮＰサービスに基づく課金システムの構造図である。当該システムは、ＩＭＳネットワーク内のＡＳ５０１とＩＭＳネットワーク内のＮＰＤＢサーバ５０２を備える。
【０１２５】
ＡＳ５０１は、ＩＭＳネットワーク内の発信側ＵＥが着信側ＵＥへの呼を開始したとき、ＩＭＳネットワーク内のＣＳＣＦエンティティにより送信された招待メッセージを受信し、ＮＰ情報問合せ要求をＮＰＤＢサーバ５０２に送信するように構成される。当該招待メッセージは発信側ＵＥの番号と着信側ＵＥの番号を運搬し、当該ＮＰ情報問合せ要求は着信側ＵＥの番号を運搬する。
【０１２６】
ＮＰＤＢサーバ５０２は、ＡＳ５０１が送信したＮＰ情報問合せ要求を受信し、着信側ＵＥの番号に対応するＮＰ情報を問い合わせ、ＮＰ情報問合せ応答をＡＳ５０１に送信するように構成される。当該ＮＰ情報問合せ応答は着信側ＵＥの番号に対応するＮＰ情報を運搬する。
【０１２７】
ＡＳ５０１はさらに、ＮＰＤＢサーバ５０２により送信されたＮＰ情報問合せ応答を受信し、初期ＣＣＲメッセージをＩＭＳネットワーク内のＯＣＳに送信するように構成される。当該初期ＣＣＲメッセージは、ＯＣＳがＮＰ情報と発信側ＵＥの番号に従って発信側ＵＥに対する課金認証を実施するように、当該ＮＰ情報と発信側ＵＥの番号を含む。
【０１２８】
当該システムがさらにＯＣＳを備えてもよい。ＯＣＳは、ＡＳ５０１により送信された初期ＣＣＲメッセージを受信し、初期ＣＣＲメッセージ内にあるＮＰ情報と発信側ＵＥの番号に従って発信側ＵＥに対する課金認証を実施するように構成される。
【０１２９】
本発明の当該実施形態で提供するＮＰサービスに基づく課金システムによれば、着信側ＵＥが加入ネットワークを変更してＮＰサービスに加入したとき、および、ＩＭＳネットワーク内の発信側ＵＥが着信側ＵＥへの呼を開始したとき、ＩＭＳネットワーク内のＡＳによりＩＭＳネットワーク内のＯＣＳに送信された初期ＣＣＲメッセージが着信側ＵＥのＮＰ情報を含む。先行技術と比べると、ＯＣＳが、着信側ＵＥのＮＰ情報に従って着信側ＵＥが属する受信側ネットワークを決定し、着信側ＵＥが属する通信ネットワークが着信側ＵＥの番号に従って決定されるという欠点が回避され、その結果、ＯＣＳが、発信側ＵＥに対して課金認証を正しく実施することができる。
【０１３０】
図６は、本発明の１実施形態に従うＩＭＳネットワーク内のＡＳの構造図であり、ＡＳを図５に示すシステムに適用してもよい。当該ＡＳは、ＩＭＳネットワーク内の発信側ＵＥが着信側ＵＥへの呼を開始したとき、ＩＭＳネットワーク内のＣＳＣＦエンティティにより送信された招待メッセージを受信するように構成された受信ユニット６０１であって、当該招待メッセージは発信側ＵＥの番号と着信側ＵＥの番号を運搬する受信ユニット６０１と、ＮＰ情報問合せ要求をＮＰＤＢサーバに送信するように構成された送信ユニット６０２であって、当該ＮＰ情報問合せ要求は受信ユニット６０１により受信された着信側ＵＥの番号を運搬する送信ユニット６０２とを備える。
【０１３１】
受信ユニット６０１はさらに、ＮＰＤＢサーバにより送信されたＮＰ情報問合せ応答を受信するように構成される。当該ＮＰ情報問合せ応答は着信側ＵＥの番号に対応するＮＰ情報を運搬する、
【０１３２】
送信ユニット６０２はさらに初期ＣＣＲメッセージをＩＭＳネットワーク内のＯＣＳに送信するように構成される。当該初期ＣＣＲメッセージは、ＯＣＳがＮＰ情報と発信側ＵＥの番号に従って発信側ＵＥに対する課金認証を実施するように、受信ユニット６０１が受信したＮＰ情報と受信ユニット６０１により受信された発信側ＵＥの番号を運搬する。
【０１３３】
１実装方式ではＮＰ情報はルーティング番号を含んでもよく、別の実装方式ではＮＰ情報はポートイン・アイデンティティを含んでもよいことに留意されたい。当該ポートイン・アイデンティティは、着信側ＵＥが別の通信ネットワークからＩＭＳネットワークにポートインされていると示すために使用される。
【０１３４】
受信ユニット６０１により受信された招待メッセージがさらに、発信側ＵＥによりサポートされるコーデックに関する情報を運搬してもよい。
【０１３５】
送信ユニット６０２をさらに、受信ユニット６０１がＮＰＤＢサーバにより送信されたＮＰ情報問合せ応答を受信した後に、コーデック交渉要求メッセージをＩＭＳネットワーク内のＭＲＦエンティティに送信するように構成してもよい。ＭＲＦエンティティが、ＭＲＦエンティティによりサポートされるコーデックに関する情報と発信側ＵＥによりサポートされるコーデックに関する情報に従って、ＭＲＦエンティティと発信側ＵＥの両方によりサポートされるコーデックを決定するように、当該コーデック交渉要求メッセージは発信側ＵＥによりサポートされるコーデックに関する情報を運搬する。
【０１３６】
受信ユニット６０１をさらに、ＭＲＦエンティティにより送信されたコーデック交渉応答メッセージを受信するように構成してもよい。当該コーデック交渉応答メッセージはＭＲＦエンティティにより決定されたコーデックに関する情報を運搬する。
【０１３７】
送信ユニット６０２をさらに、発信側ＵＥが、コーデックに関する受信した情報に従って、ＭＲＦエンティティにより送信されたオーディオ・ファイルを復号化し、当該復号化したオーディオ・ファイルを再生するように、ＭＲＦエンティティにより決定されたコーデックに関する情報を発信側ＵＥに送信するように構成してもよい。当該コーデックに関する情報は受信ユニット６０１により受信され、ＭＲＦエンティティにより送信されたオーディオ・ファイルは着信側ＵＥが加入ネットワークを変更したことを示す音声通知情報を含む。
【０１３８】
受信ユニット６０１をさらに、ＯＣＳにより送信された初期ＣＣＡメッセージを受信するように構成してもよいことに留意されたい。当該初期ＣＣＡメッセージは付与サービス単位を運搬する。
【０１３９】
送信ユニット６０２はさらに、当該付与サービス単位と発信側ＵＥの番号の間の対応を格納し、ＮＰ情報を運搬する招待メッセージをＣＳＣＦエンティティに送信するように構成される。
【０１４０】
図７は、本発明の１実施形態に従うＩＭＳネットワーク内のＡＳの構造図であり、ＡＳを図５に示すシステムに適用してもよい。ＡＳは、少なくとも１つのプロセッサ７０１、通信バス７０２、メモリ７０３、および少なくとも１つの通信インタフェース７０４を備える。
【０１４１】
通信バス７０２は、上述のコンポーネント間の接続と通信を実装するように構成され、通信インタフェース７０４は外部装置と接続し通信するように構成される。
【０１４２】
メモリ７０３は、実行する必要があるプログラム・コードを記憶するように構成される。当該プログラム・コードは特に、受信ユニット７０３１と送信ユニット７０３２を含んでもよい。プロセッサ７０１は、メモリ７０３に格納された上述のユニットを実行するように構成され、上述のユニットがプロセッサ７０１により実行されたとき、以下の機能が実現される。
【０１４３】
受信ユニット７０３１は、ＩＭＳネットワーク内の発信側ＵＥが着信側ＵＥへの呼を開始したとき、ＩＭＳネットワーク内のＣＳＣＦエンティティにより送信された招待メッセージを受信するように構成される。当該招待メッセージは発信側ＵＥの番号と着信側ＵＥの番号を運搬する。
【０１４４】
送信ユニット７０３２は、ＮＰ情報問合せ要求をＮＰＤＢサーバに送信するように構成される。当該ＮＰ情報問合せ要求は受信ユニット７０３１により受信された着信側ＵＥの番号を運搬する。
【０１４５】
受信ユニット７０３１はさらに、ＮＰＤＢサーバにより送信されたＮＰ情報問合せ応答を受信するように構成される。当該ＮＰ情報問合せ応答は着信側ＵＥの番号に対応するＮＰ情報を運搬する。
【０１４６】
送信ユニット７０３２はさらに、初期ＣＣＲメッセージをＩＭＳネットワーク内のＯＣＳに送信するように構成される。当該初期ＣＣＲメッセージは、ＯＣＳがＮＰ情報と発信側ＵＥの番号に従って発信側ＵＥに対する課金認証を実施するように、受信ユニット７０３１により受信されたＮＰ情報と受信ユニット７０３１により受信された発信側ＵＥの番号を運搬する。
【０１４７】
１実装方式では、ＮＰ情報がルーティング番号を含んでもよく、別の実装方式では、当該ＮＰ情報がポートイン・アイデンティティを含んでもよいことに留意されたい。当該ポートイン・アイデンティティは、着信側ＵＥが別の通信ネットワークからＩＭＳネットワークにポートインされていると示すために使用される。
【０１４８】
受信ユニット７０３１により受信された招待メッセージがさらに、発信側ＵＥによりサポートされるコーデックに関する情報を運搬してもよい。
【０１４９】
送信ユニット７０３２をさらに、受信ユニット７０３１がＮＰＤＢサーバにより送信されたＮＰ情報問合せ応答を受信した後に、コーデック交渉要求メッセージをＩＭＳネットワーク内のＭＲＦエンティティに送信するように構成してもよい。ＭＲＦエンティティが、ＭＲＦエンティティによりサポートされるコーデックに関する情報と発信側ＵＥによりサポートされるコーデックに関する情報に従って、ＭＲＦエンティティと発信側ＵＥの両方によりサポートされるコーデックを決定するように、当該コーデック交渉要求メッセージは発信側ＵＥによりサポートされるコーデックに関する情報を運搬する。
【０１５０】
受信ユニット７０３１をさらに、ＭＲＦエンティティにより送信されたコーデック交渉応答メッセージを受信するように構成してもよい。当該コーデック交渉応答メッセージはＭＲＦエンティティにより決定されたコーデックに関する情報を運搬する。
【０１５１】
送信ユニット７０３２をさらに、発信側ＵＥが、当該コーデックに関する受信した情報に従って、ＭＲＦエンティティにより送信されたオーディオ・ファイルを復号化し、当該復号化したオーディオ・ファイルを再生するように、ＭＲＦエンティティにより決定されたコーデックに関する情報を発信側ＵＥに送信するように構成してもよい。当該コーデックに関する情報は受信ユニット７０３１により受信され、ＭＲＦエンティティにより送信されたオーディオ・ファイルは着信側ＵＥが加入ネットワークを変更したことを示す音声通知情報を含む。
【０１５２】
受信ユニット７０３１をさらに、ＯＣＳにより送信された初期ＣＣＡメッセージを受信するように構成してもよいことに留意されたい。当該初期ＣＣＡメッセージは付与サービス単位を運搬する。
【０１５３】
送信ユニット７０３２はさらに、当該付与サービス単位と発信側ＵＥの番号の間の対応を格納し、ＮＰ情報を運搬する招待メッセージをＣＳＣＦエンティティに送信するように構成される。
【０１５４】
本発明の諸実施形態で提供するＮＰサービスに基づくオンライン課金方法、装置、およびシステムによれば、着信側ＵＥが加入ネットワークを変更してＮＰサービスに加入したとき、および、ＩＭＳネットワーク内の発信側ＵＥが着信側ＵＥへの呼を開始したとき、ＩＭＳネットワーク内のＡＳによりＩＭＳネットワーク内のＯＣＳに送信された初期ＣＣＲメッセージが着信側ＵＥのＮＰ情報を含む。先行技術と比べると、ＯＣＳが、着信側ＵＥのＮＰ情報に従って着信側ＵＥが属する受信側ネットワークを決定し、着信側ＵＥが属する通信ネットワークが着信側ＵＥの番号に従って決定されるという欠点が回避され、その結果、ＯＣＳが、発信側ＵＥに対して課金認証を正しく実施することができる。さらに発信側ＵＥは、ＭＲＦエンティティとのコーデック交渉を実施した後に得られたコーデックに関する情報に従って、ＭＲＦエンティティにより送信されたオーディオ・ファイルを復号化し、当該復号化したオーディオ・ファイルを再生する。その結果、発信側ＵＥを保持するユーザは着信側ＵＥが加入ネットワークを変更した時点を学習することができる。
【０１５５】
以上の実施形態の説明により、本発明をハードウェア、またはソフトウェア、またはハードウェアとソフトウェアの組合せにより実装してもよいことを当業者は明確に認識することができる。本発明をソフトウェアで実装するとき、上述の機能をコンピュータ可読媒体に格納するか、または、当該コンピュータ可読媒体上の１つまたは複数のコマンドもしくはコードとして送信してもよい。当該コンピュータ可読媒体にはコンピュータ記憶媒体と通信媒体が含まれる。当該通信媒体には、コンピュータ・プログラムを或る場所から別の場所に送信するのを容易にする任意の媒体が含まれる。当該記憶媒体は、コンピュータにアクセス可能な任意の利用可能な媒体であってもよい。以下は、例として捉えられ、限定されるものではない。当該コンピュータ可読媒体は、ＲＡＭ、ＲＯＭ、ＥＥＰＲＯＭ、ＣＤ−ＲＯＭまたは他の光ディスク記憶、ディスク記憶媒体または他のディスク記憶、または期待されるプログラム・コードをコマンドもしくはデータ構造の形で運搬もしくは格納できコンピュータによりアクセスできる他の任意の媒体を含んでもよい。さらに、任意の接続が適切にコンピュータ可読媒体となってもよい。例えば、ソフトウェアがウェブサイトからの送信を実装する場合、サーバ、または、同軸ケーブル、光ケーブル、ツイスト・ペア、デジタル加入者線（ＤＳＬ）、または赤外線、無線、もしくはマイクロ波、同軸ケーブル、光ケーブル、ツイスト・ペア、ＤＳＬのようなワイヤレス技術、または赤外線、無線、もしくはマイクロ波のようなワイヤレス技術を用いた他のリモート・ソースはホーム・メディアの範囲に含まれる。例えば、本明細書で使用するディスク（Ｄｉｓｋ）およびディスク（ｄｉｓｃ）には、圧縮コンパクト・ディスク（ＣＤ）、レーザー・ディスク、光ディスク、デジタル多用途ディスク（ＤＶＤ）、フロッピー（登録商標）・ディスク、およびブルーレイ・ディスクが含まれる。通常、ｄｉｓｋは磁気的にデータを複製し、ｄｉｓｃはレーザを用いてデータを光学的に複製する。以上の組合せも、コンピュータ可読媒体の保護範囲に含まれるべきである。
【０１５６】
本明細書における各実施形態は漸進的な方式で説明されていることに留意されたい。諸実施形態における同一のまたは類似な部分は互いに対する参照にすぎない。全ての実施形態では、他の実施形態と異なるものを強調して説明している。特に、装置の実施形態に関して、これは基本的に方法の実施形態と同様であるので、装置の実施形態は簡潔に説明されており、全てのユニットに関する具体的な機能の実施は、方法の実施形態の説明の部分を参照して行うことができる。説明した装置の実施形態は例にすぎず、独立な部分として説明したユニットが物理的に独立であってもなくてもよく、ユニットとして表示した部分が物理的なユニットであってもなくてもよく、１つの場所に配置されるか、または、複数のネットワーク要素に分散されてもよい。モジュールの一部または全部を、諸実施形態の解決策の目的を達成するための実際のニーズに従って選択してもよい。当業者は、創造的作業なしに当該諸実施形態を理解し実施することができる。
【０１５７】
纏めると、以上の説明は本発明の例示的な諸実施形態にすぎず、本発明の範囲を限定しようとするものではない。本発明の趣旨と原理において行われた任意の修正、均等な置換え、または改良は本発明の保護範囲に包摂されるものとする。
【符号の説明】
【０１５８】
５０１  アプリケーション・サーバ
５０２  ナンバー・ポータビリティ・データベース・サーバ
６０１  受信ユニット
６０２  送信ユニット
７０１  プロセッサ
７０３  メモリ
７０３１  受信ユニット
７０３２  送信ユニット
７０４  通信インタフェース
【図１】
2016502360.tif 000003
【図２】
2016502360.tif 000004
【図３】
2016502360.tif 000005
【図４】
2016502360.tif 000006
【図５】
2016502360.tif 000007
【図６】
2016502360.tif 000008
【図７】
2016502360.tif 000009
【手続補正書】
【提出日】平成27年7月30日(2015.7.30)
【手続補正１】
【補正対象書類名】明細書
【補正対象項目名】００７６
【補正方法】変更
【補正の内容】
【００７６】
特に、Ｓ−ＣＳＣＦは、当該ルーティング番号に従って着信側ＵＥが属する受信側ネットワークを決定する。受信側ネットワークがＰＳＴＮ（Ｐｕｂｌｉｃ  Ｓｗｉｔｃｈｅｄ  Ｔｅｌｅｐｈｏｎｅ  Ｎｅｔｗｏｒｋ、公衆交換電話網）ネットワークであるとき、Ｓ−ＣＳＣＦは、ＰＳＴＮネットワーク内のＭＧＣＦ（Ｍｅｄｉａ  Ｇａｔｅｗａｙ  Ｃｏｎｔｒｏｌ  Ｆｕｎｃｔｉｏｎ、媒体ゲートウェイ制御機能）エンティティに、当該ルーティング番号と着信側ＵＥの番号を運搬する招待メッセージを送信する。受信側ネットワークがＩＭＳネットワークであるとき、Ｓ−ＣＳＣＦが、ＩＭＳネットワーク内のＩ−ＣＳＣＦ（Ｉｎｔｅｒｒｏｇａｔｉｎｇ−Ｃａｌｌ  Ｓｅｓｓｉｏｎ  Ｃｏｎｔｒｏｌ  Ｆｕｎｃｔｉｏｎ、問合せ呼セッション制御機能）エンティティに、当該ルーティング番号と着信側ＵＥの番号を運搬する招待メッセージを送信する。
【手続補正２】
【補正対象書類名】明細書
【補正対象項目名】００８５
【補正方法】変更
【補正の内容】
【００８５】
更新されたＣＣＡメッセージを受信した後、ＡＳが、更新されたＣＣＡメッセージ内のＧＳＵと発信側ＵＥの番号の間の対応を格納する。
【手続補正３】
【補正対象書類名】明細書
【補正対象項目名】０１１６
【補正方法】変更
【補正の内容】
【０１１６】
更新されたＣＣＡメッセージを受信した後、ＡＳが、更新されたＣＣＡメッセージ内のＧＳＵと発信側ＵＥの番号の間の対応を格納する。
【手続補正４】
【補正対象書類名】特許請求の範囲
【補正対象項目名】全文
【補正方法】変更
【補正の内容】
【特許請求の範囲】
【請求項１】
ナンバー・ポータビリティ・サービスに基づくオンライン課金方法であって、
インターネット・プロトコル・マルチメディア・サブシステム（ＩＭＳ）ネットワーク内の発信側ユーザ機器（ＵＥ）が着信側ＵＥへの呼を開始したとき、前記ＩＭＳネットワーク内のアプリケーション・サーバ（ＡＳ）により、前記ＩＭＳネットワーク内の呼セッション制御機能（ＣＳＣＦ）エンティティにより送信された招待メッセージを受信するステップであって、前記招待メッセージは前記発信側ＵＥの番号と前記着信側ＵＥの番号を運搬するステップと、
前記ＡＳにより、ナンバー・ポータビリティ情報問合せ要求をナンバー・ポータビリティ・データベース（ＮＰＤＢ）サーバに送信するステップであって、前記ナンバー・ポータビリティ情報問合せ要求は前記着信側ＵＥの番号を運搬するステップと、
前記ＡＳにより、前記ＮＰＤＢサーバにより送信されたナンバー・ポータビリティ情報問合せ応答を受信するステップであって、前記ナンバー・ポータビリティ情報問合せ応答は前記着信側ＵＥの番号に対応するナンバー・ポータビリティ情報を運搬するステップと、
前記ＡＳにより、初期クレジット制御要求メッセージを前記ＩＭＳネットワーク内のオンライン課金システム（ＯＣＳ）に送信するステップであって、前記初期クレジット制御要求メッセージは前記ナンバー・ポータビリティ情報と前記発信側ＵＥの番号を運搬し、その結果、前記ＯＣＳが前記ナンバー・ポータビリティ情報と前記発信側ＵＥの番号に従って前記発信側ＵＥに対する課金認証を実施するステップと、
を含む、方法。
【請求項２】
前記ナンバー・ポータビリティ情報はルーティング番号を含み、前記ＯＣＳにより、前記ナンバー・ポータビリティ情報と前記発信側ＵＥの番号に従って前記発信側ＵＥに対して課金認証を実施するステップは、
前記ＯＣＳにより、前記着信側ＵＥが属する受信側ネットワークを前記ルーティング番号に従って決定し、前記ＩＭＳネットワークと前記受信側ネットワークの間の通話の課金率を決定するステップと、
前記ＯＣＳにより、前記発信側ＵＥの番号と前記課金率に従って前記発信側ＵＥに対する課金認証を実施するステップと、
を含む、請求項１に記載の方法。
【請求項３】
前記着信側ＵＥが属する受信側ネットワークと前記ＩＭＳネットワークとは同一の通信ネットワークでない、請求項２に記載の方法。
【請求項４】
前記ナンバー・ポータビリティ情報はポートイン・アイデンティティを含み、前記ポートイン・アイデンティティは、前記着信側ＵＥが別の通信ネットワークから前記ＩＭＳネットワークにポートインされていると示すために使用され、前記ＯＣＳにより、前記ナンバー・ポータビリティ情報と前記発信側ＵＥの番号に従って前記発信側ＵＥに対して課金認証を実施するステップは、
前記ポートイン・アイデンティティと前記発信側ＵＥの番号に従って、前記ＯＣＳにより、前記ＩＭＳネットワークにおけるネットワーク内通話の課金率に基づいて前記発信側ＵＥに対する課金認証を実施するステップ
を含む、請求項１に記載の方法。
【請求項５】
前記招待メッセージはさらに前記発信側ＵＥによりサポートされるコーデックに関する情報を運搬し、前記ＡＳにより、前記ＮＰＤＢサーバにより送信された前記ナンバー・ポータビリティ情報問合せ応答を受信した後、前記方法は、
前記ＡＳにより、コーデック交渉要求メッセージを前記ＩＭＳネットワーク内のマルチメディアリソース機能（ＭＲＦ）エンティティに送信するステップであって、前記ＭＲＦエンティティが、前記ＭＲＦエンティティによりサポートされるコーデックに関する情報と前記発信側ＵＥによりサポートされる前記コーデックに関する情報に従って、前記ＭＲＦエンティティと前記発信側ＵＥの両方によりサポートされるコーデックを決定するように、前記コーデック交渉要求メッセージは前記発信側ＵＥによりサポートされる前記コーデックに関する情報を運搬する、ステップと、
前記ＡＳにより、前記ＭＲＦエンティティにより送信されたコーデック交渉応答メッセージを受信するステップであって、前記コーデック交渉応答メッセージは前記ＭＲＦエンティティにより決定されたコーデックに関する情報を運搬する、ステップと、
前記発信側ＵＥが、前記コーデックに関する受信した情報に従って、前記ＭＲＦエンティティにより送信されたオーディオ・ファイルを復号化し、前記復号化したオーディオ・ファイルを再生するように、前記ＡＳにより、前記ＭＲＦエンティティにより決定されたコーデックに関する情報を前記発信側ＵＥに送信するステップであって、前記ＭＲＦエンティティにより送信された前記オーディオ・ファイルは、前記着信側ＵＥが加入ネットワークを変更したことを示す音声通知情報を含む、ステップと、
をさらに含む、請求項１乃至４の何れか１項に記載の方法。
【請求項６】
前記課金認証に成功した後、
前記ＡＳにより、前記ＯＣＳにより送信された初期クレジット制御応答メッセージを受信するステップであって、前記初期クレジット制御応答メッセージは付与サービス単位を運搬するステップと、
前記ＡＳにより、前記付与サービス単位と前記発信側ＵＥの番号の間の対応を格納し、前記ＣＳＣＦエンティティに、前記ナンバー・ポータビリティ情報を運搬する招待メッセージを送信するステップと、
をさらに含む、請求項１乃至５の何れか１項に記載の方法。
【請求項７】
インターネット・プロトコル・マルチメディア・サブシステム（ＩＭＳ）ネットワーク内のアプリケーション・サーバであって、
前記ＩＭＳネットワーク内の発信側ユーザ機器（ＵＥ）が着信側ＵＥへの呼を開始するときに、前記ＩＭＳネットワーク内の呼セッション制御機能（ＣＳＣＦ）エンティティにより送信された招待メッセージを受信するように構成された受信ユニットであって、前記招待メッセージは前記発信側ＵＥの番号と前記着信側ＵＥの番号を運搬する受信ユニットと、
ナンバー・ポータビリティ情報問合せ要求をナンバー・ポータビリティ・データベース（ＮＰＤＢ）サーバに送信するように構成された送信ユニットであって、前記ナンバー・ポータビリティ情報問合せ要求は前記受信ユニットにより受信された前記着信側ＵＥの番号を運搬する送信ユニットと、
を備え、
前記受信ユニットはさらに、前記ＮＰＤＢサーバにより送信されたナンバー・ポータビリティ情報問合せ応答を受信するように構成され、前記ナンバー・ポータビリティ情報問合せ応答は前記着信側ＵＥの番号に対応するナンバー・ポータビリティ情報を運搬し、
前記送信ユニットはさらに、初期クレジット制御要求メッセージを前記ＩＭＳネットワーク内のオンライン課金システム（ＯＣＳ）に送信するように構成され、前記ＯＣＳが前記ナンバー・ポータビリティ情報と前記発信側ＵＥの番号に従って前記発信側ＵＥに対する課金認証を実施するように、前記初期クレジット制御要求メッセージは、前記受信ユニットにより受信された前記ナンバー・ポータビリティ情報と前記受信ユニットにより受信された前記発信側ＵＥの番号を運搬する、
アプリケーション・サーバ。
【請求項８】
前記ナンバー・ポータビリティ情報はルーティング番号を含む、請求項７に記載のアプリケーション・サーバ。
【請求項９】
前記ナンバー・ポータビリティ情報はポートイン・アイデンティティを含み、前記ポートイン・アイデンティティは、前記着信側ＵＥが別の通信ネットワークから前記ＩＭＳネットワークにポートインされていると示すために使用される、請求項７に記載のアプリケーション・サーバ。
【請求項１０】
前記受信ユニットにより送信された前記招待メッセージはさらに前記発信側ＵＥによりサポートされるコーデックに関する情報を運搬し
前記送信ユニットはさらに、前記受信ユニットが前記ＮＰＤＢサーバにより送信された前記ナンバー・ポータビリティ情報問合せ応答を受信した後に、前記ＩＭＳネットワーク内のマルチメディアリソース機能（ＭＲＦ）エンティティにコーデック交渉要求メッセージを送信するように構成され、前記ＭＲＦエンティティが、前記ＭＲＦエンティティによりサポートされるコーデックに関する情報と前記発信側ＵＥによりサポートされる前記コーデックに関する情報に従って、前記ＭＲＦエンティティと前記発信側ＵＥの両方によりサポートされるコーデックを決定するように、前記コーデック交渉要求メッセージは前記発信側ＵＥによりサポートされる前記コーデックに関する情報を運搬し、
前記受信ユニットはさらに、前記ＭＲＦエンティティにより送信されたコーデック交渉応答メッセージを受信するように構成され、前記コーデック交渉応答メッセージは前記ＭＲＦエンティティにより決定されたコーデックに関する情報を運搬し、
前記送信ユニットはさらに、前記ＭＲＦエンティティにより決定されたコーデックに関する情報を前記発信側ＵＥに送信するように構成され、前記発信側ＵＥが、前記コーデックに関する受信した情報に従って、前記ＭＲＦエンティティにより送信されたオーディオ・ファイルを復号化し、前記復号化したオーディオ・ファイルを再生するように、前記コーデックに関する情報は前記受信ユニットにより受信され、前記ＭＲＦエンティティにより送信された前記オーディオ・ファイルは、前記着信側ＵＥが加入ネットワークを変更したことを示す音声通知情報を含む、
請求項７乃至９の何れか１項に記載のアプリケーション・サーバ。
【請求項１１】
前記受信ユニットはさらに、前記ＯＣＳにより送信された初期クレジット制御応答メッセージを受信するように構成され、前記初期クレジット制御応答メッセージは付与サービス単位を運搬し、
前記送信ユニットはさらに、前記付与サービス単位と前記発信側ＵＥの番号の間の対応を格納し、前記ナンバー・ポータビリティ情報を運搬する招待メッセージを前記ＣＳＣＦエンティティに送信するように構成された、
請求項７乃至１０の何れか１項に記載のアプリケーション・サーバ。
【請求項１２】
インターネット・プロトコル・マルチメディア・サブシステム（ＩＭＳ）ネットワーク内のアプリケーション・サーバ（ＡＳ）と前記ＩＭＳネットワーク内のナンバー・ポータビリティ・データベース（ＮＰＤＢ）サーバを備えた、ナンバー・ポータビリティ・サービスに基づく課金システムであって、
前記ＡＳは、前記ＩＭＳネットワーク内の発信側ユーザ機器ＵＥが着信側ＵＥへの呼を開始するとき、前記ＩＭＳネットワーク内の呼セッション制御機能（ＣＳＣＦ）エンティティにより送信された招待メッセージを受信し、ナンバー・ポータビリティ情報問合せ要求を前記ＮＰＤＢサーバに送信するように構成され、前記招待メッセージは前記発信側ＵＥの番号と前記着信側ＵＥの番号を運搬し、前記ナンバー・ポータビリティ情報問合せ要求は前記着信側ＵＥの番号を運搬し、
前記ＮＰＤＢサーバは、前記ＡＳにより送信された前記ナンバー・ポータビリティ情報問合せ要求を受信し、前記着信側ＵＥの番号に対応するナンバー・ポータビリティ情報を問い合わせ、ナンバー・ポータビリティ情報問合せ応答を前記ＡＳに送信するように構成され、前記ナンバー・ポータビリティ情報問合せ応答は前記前記着信側ＵＥの番号に対応するナンバー・ポータビリティ情報を運搬し、
前記ＡＳはさらに、前記ＮＰＤＢサーバにより送信された前記ナンバー・ポータビリティ情報問合せ応答を受信し、初期クレジット制御要求メッセージを前記ＩＭＳネットワーク内のオンライン課金システム（ＯＣＳ）に送信するように構成され、前記ＯＣＳが前記ナンバー・ポータビリティ情報と前記発信側ＵＥの番号に従って前記発信側ＵＥに対する課金認証を実施するように、前記初期クレジット制御要求メッセージは前記ナンバー・ポータビリティ情報と前記発信側ＵＥの番号を運搬する、
課金システム。
【請求項１３】
前記ＡＳにより送信された初期クレジット制御要求メッセージを受信し、前記発信側ＵＥに対する課金認証を、前記初期クレジット制御要求メッセージ内の前記ナンバー・ポータビリティ情報と前記発信側ＵＥの番号に従って実施するように構成された前記ＯＣＳ
をさらに備える、請求項１２に記載のシステム。
【請求項１４】
前記ナンバー・ポータビリティ情報はルーティング番号を含み、
前記ＯＣＳは特に、前記着信側ＵＥが属する受信側ネットワークを前記ルーティング番号に従って決定し、前記ＩＭＳネットワークと前記受信側ネットワークの間の通話の課金率を決定し、前記発信側ＵＥに対する課金認証を前記発信側ＵＥの番号と前記課金率に従って実施するように構成された、
請求項１３に記載のシステム。
【請求項１５】
前記ナンバー・ポータビリティ情報はポートイン・アイデンティティを含み、前記ポートイン・アイデンティティは、前記着信側ＵＥが別の通信ネットワークから前記ＩＭＳネットワークにポートインされていると示すために使用され、
前記ＯＣＳは特に、前記ポートイン・アイデンティティと前記発信側ＵＥの番号に従って、前記ＩＭＳネットワークにおけるネットワーク内通話の課金率に基づいて前記発信側ＵＥに対する課金認証を実施するように構成される、
請求項１３に記載のシステム。
【請求項１６】
インターネット・プロトコル・マルチメディア・サブシステム（ＩＭＳ）ネットワーク内のアプリケーション・サーバであって、前記アプリケーション・だーばはプロセッサと前記プロセッサに接続されたメモリを備え、前記プロセッサは、請求項１乃至６の何れか１項に記載の方法を実行するように構成された、アプリケーション・サーバ。
【請求項１７】
請求項１乃至６の何れか１項に記載の方法をコンピュータに実行させるプログラムを記録した、コンピュータ可読記憶媒体。
【国際調査報告】
2016502360.tif 000010
2016502360.tif 000011
2016502360.tif 000012
2016502360.tif 000013
2016502360.tif 000014
2016502360.tif 000015